(57)【特許請求の範囲】
【請求項１】
受信機に放送波を送信する放送局において、
映像及び音声を含むモノメディアを生成・符号化して番組データを生成する符号化部と、
前記受信機に放送希望の番組を問合せる放送希望番組情報取得スクリプトを生成する放送希望番組情報取得スクリプト生成部と、
前記放送希望番組情報取得スクリプト生成部により生成された放送希望番組情報取得スクリプトを含むデータ放送コンテンツを生成するデータ放送サービス生成部と、
前記符号化部により生成された番組データ及び前記データ放送サービス生成部により生成されたデータ放送コンテンツを多重化して放送波として送信する放送部と、
前記受信機から、前記放送希望番組情報取得スクリプトに基づく放送希望番組情報を受信する回線処理部と、
前記回線処理部により受信された放送希望番組情報を番組毎に集計する放送希望集計部と、
前記放送希望集計部による集計結果に基づいて、送信する番組データの番組編成を行う番組編成管理部と、
前記番組編成管理部により編成された番組編成情報に基づいて、指定した番組の録画予約を指示する録画予約スクリプトを生成する予約スクリプト生成部とを備え、
前記データ放送サービス生成部は、前記予約スクリプト生成部により生成された録画予約スクリプトを含むデータ放送コンテンツを生成する
ことを特徴とする放送局。
【請求項２】
受信機に放送波を送信する放送局において、
映像及び音声を含むモノメディアを生成・符号化して番組データを生成する符号化部と、
前記受信機に放送希望の番組を問合せる放送希望番組情報取得スクリプトを生成する放送希望番組情報取得スクリプト生成部と、
前記放送希望番組情報取得スクリプト生成部により生成された放送希望番組情報取得スクリプトを含むデータ放送コンテンツを生成するデータ放送サービス生成部と、
前記符号化部により生成された番組データ及び前記データ放送サービス生成部により生成されたデータ放送コンテンツを多重化して放送波として送信する放送部と、
前記受信機から、前記放送希望番組情報取得スクリプトに基づく放送希望番組情報を受信する回線処理部と、
前記回線処理部により受信された放送希望番組情報を番組毎に集計する放送希望集計部と、
前記放送希望集計部による集計結果に基づいて、送信する番組データの番組編成を行う番組編成管理部と、
前記番組編成管理部により編成された番組編成情報に基づいて、指定した番組の視聴予約を指示する視聴予約スクリプトを生成する予約スクリプト生成部とを備え、
前記データ放送サービス生成部は、前記予約スクリプト生成部により生成された視聴予約スクリプトを含むデータ放送コンテンツを生成する
ことを特徴とする放送局。
【請求項３】
番組データの伝送レートを決定するデータ伝送レート決定部と、
前記データ伝送レート決定部により決定された伝送レートに基づいて、当該番組データの送出タイミングを調整するデータ送出レート制御部とを備え、
前記予約スクリプト生成部は、前記データ伝送レート決定部により決定された伝送レートでの当該番組の録画を指示するデータ伝送レート情報を録画予約スクリプトに付加する
ことを特徴とする請求項１記載の放送局。
【請求項４】
前記データ伝送レート決定部により決定された伝送レートの最大値を検出する最大伝送レート決定部を備え、
前記予約スクリプト生成部は、前記最大伝送レート決定部により検出された伝送レートの最大値を示す最大伝送レート情報を録画予約スクリプトに付加する
ことを特徴とする請求項３記載の放送局。
【請求項５】
番組データの詳細番組情報及び簡易番組情報を生成する番組情報生成部を備え、
前記予約スクリプト生成部は、前記番組情報生成部により生成された詳細番組情報を録画予約スクリプトに付加し、
前記放送部は、録画予約を指示した番組データを送信する際に、前記番組情報生成部により生成された簡易番組情報を多重化する
ことを特徴とする請求項１、請求項３または請求項４のうちいずれか１項記載の放送局。
【請求項６】
番組データの詳細番組情報及び簡易番組情報を生成する番組情報生成部を備え、
前記予約スクリプト生成部は、前記番組情報生成部により生成された詳細番組情報を録画予約スクリプトに付加し、
前記放送部は、視聴予約を指示した番組データを送信する際に、前記番組情報生成部により生成された簡易番組情報を多重化する
ことを特徴とする請求項２記載の放送局。
【請求項７】
前記放送希望番組情報取得スクリプトは、前記受信機に放送希望のモノメディア種別を問い合せる必要モノメディア問合せ情報を放送希望番組情報取得スクリプトに付加し、
前記回線処理部は、前記受信機から、前記必要モノメディア問合せ情報に基づく放送希望のモノメディア種別を示す必要モノメディア種別情報が付加された放送希望番組情報を受信し、
前記放送希望集計部は、前記回線処理部により受信された必要モノメディア種別情報をモノメディア種別毎に集計し、
前記番組編成管理部は、前記放送希望集計部による集計結果に基づいて、指定した番組のモノメディア種別を選択し、
前記予約スクリプト生成部は、当該番組の、前記番組編成管理部により選択されたモノメディア種別の録画を指示するモノメディア限定情報を録画予約スクリプトに付加する
ことを特徴とする請求項１記載の放送局。
【請求項８】
前記放送希望番組情報取得スクリプトは、前記受信機に放送希望の時間帯を問い合せる時間帯希望問合せ情報を放送希望番組情報取得スクリプトに付加し、
前記回線処理部は、前記受信機から、前記時間帯希望問合せ情報に基づく時間帯希望情報が付加された放送希望番組情報を受信し、
前記番組編成管理部は、前記回線処理部により受信された時間帯希望情報に基づいて番組編成を行う
ことを特徴とする請求項１記載の放送局。
【請求項９】
前記回線処理部は、前記受信機から番組の放送時間が延長したことを示す番組延長情報を受信し、
前記番組編成管理部は、前記回線処理部により受信された番組延長情報に基づいて番組編成を行い、
前記予約スクリプト生成部は、前記回線処理部により受信された番組延長情報に基づいて、当該番組の延長時間を示す臨時延長情報を録画予約スクリプトに付加する
ことを特徴とする請求項１記載の放送局。
【請求項１０】
前記回線処理部は、前記受信機から番組の録画済みの先頭・末尾時刻を示す録画済先頭・末尾時刻情報を受信し、
前記番組編成管理部は、前記回線処理部により受信された録画済先頭・末尾時刻情報に基づいて番組編成を行い、
前記予約スクリプト生成部は、前記回線処理部により受信された録画済先頭・末尾時刻情報に基づいて、当該番組の先頭データの当初放送時刻を示す当初放送時刻情報を録画予約スクリプトに付加する
ことを特徴とする請求項１記載の放送局。
【請求項１１】
放送局からの放送波を受信する受信機において、
受信した放送波を、映像及び音声を含むモノメディアを生成・符号化した番組データと、放送希望の番組を問合せる放送希望番組情報取得スクリプトを含むデータ放送コンテンツとに分離する分離部と、
前記分離部により分離された番組データのうち、録画予約または録画を指示された番組に該当する番組データを記録する録画管理部と、
前記分離部が利用され、前記録画管理部により番組の録画を行えない場合に、当該番組の情報に基づき放送希望番組情報を生成する放送希望番組情報生成部と、
前記分離部により分離されたデータ放送コンテンツから放送希望番組情報取得スクリプトを検出する解析部と、
前記解析部により放送希望番組情報取得スクリプトが検出された場合に、前記放送希望番組情報生成部により生成された放送希望番組情報を取得する放送希望番組情報取得スクリプト処理部と、
前記放送希望番組情報取得スクリプト処理部により取得された放送希望番組情報を前記放送局に送信する回線処理部と
を備えたことを特徴とする受信機。
【請求項１２】
放送局からの放送波を受信する受信機において、
受信した放送波を、映像及び音声を含むモノメディアを生成・符号化した番組データと、放送希望の番組を問合せる放送希望番組情報取得スクリプトを含むデータ放送コンテンツとに分離する分離部と、
前記分離部により分離された番組データのうち、視聴予約または視聴を指示された番組に該当する番組データを復号・再生する映像・音声復号部と、
前記分離部が利用され、前記映像・音声復号部により番組の視聴を行えない場合に、当該番組の情報に基づき放送希望番組情報を生成する放送希望番組情報生成部と、
前記分離部により分離されたデータ放送コンテンツから放送希望番組情報取得スクリプトを検出する解析部と、
前記解析部により放送希望番組情報取得スクリプトが検出された場合に、前記放送希望番組情報生成部により生成された放送希望番組情報を取得する放送希望番組情報取得スクリプト処理部と、
前記放送希望番組情報取得スクリプト処理部により取得された放送希望番組情報を前記放送局に送信する回線処理部と
を備えたことを特徴とする受信機。
【請求項１３】
前記解析部は、前記分離部により分離されたデータ放送コンテンツから、前記放送局により指定された番組の録画予約を指示する録画予約スクリプトを検出し、
前記解析部により録画予約スクリプトが検出された場合に、前記録画管理部に当該番組の録画予約を指示する予約スクリプト処理部を備えた
ことを特徴とする請求項１１記載の受信機。
【請求項１４】
前記解析部は、前記分離部により分離されたデータ放送コンテンツから、前記放送局により指定された番組の視聴予約を指示する視聴予約スクリプトを検出し、
前記解析部により視聴予約スクリプトが検出された場合に、前記映像・音声復号部に当該番組の視聴予約を指示する予約スクリプト処理部を備えた
ことを特徴とする請求項１２記載の受信機。
【請求項１５】
前記解析部は、前記分離部により分離されたデータ放送コンテンツから、前記放送局により決定された伝送レートでの指定された番組の録画を指示するデータ伝送レート情報が付加された録画予約スクリプトを検出し、
前記予約スクリプト処理部は、前記解析部によりデータ伝送レート情報が検出された場合に、前記録画管理部に当該伝送レートでの番組の録画を指示する
ことを特徴とする請求項１３記載の受信機。
【請求項１６】
前記解析部は、前記分離部により分離されたデータ放送コンテンツから、伝送レートの最大値を示す最大伝送レート情報が付加された録画予約スクリプトを検出し、
前記予約スクリプト処理部は、前記解析部により最大伝送レート情報が検出された場合に、前記録画管理部に当該最大値を上限とした伝送レートでの番組の録画を指示する
ことを特徴とする請求項１５記載の受信機。
【請求項１７】
前記解析部は、前記分離部により分離されたデータ放送コンテンツから詳細番組情報が付加された録画予約スクリプトを検出し、
前記解析部により検出された詳細番組情報を記録する詳細番組情報管理部を備え、
前記録画管理部は、番組の録画を行う際、前記放送局から送信された簡易番組情報及び前記詳細番組情報管理部に記録された詳細番組情報に基づいて録画を行う
ことを特徴とする請求項１３、請求項１５または請求項１６のうちいずれか１項記載の受信機。
【請求項１８】
前記解析部は、前記分離部により分離されたデータ放送コンテンツから詳細番組情報が付加された視聴予約スクリプトを検出し、
前記解析部により検出された詳細番組情報を記録する詳細番組情報管理部を備え、
前記映像・音声復号部は、番組の視聴を行う際、前記放送局から送信された簡易番組情報及び前記詳細番組情報管理部に記録された詳細番組情報に基づいて視聴を行う
ことを特徴とする請求項１４記載の受信機。
【請求項１９】
前記解析部は、前記分離部により分離されたデータ放送コンテンツから、放送希望のモノメディア種別を問合せる必要モノメディア問合せ情報が付加された放送希望番組情報取得スクリプト、及び前記放送局により指定された番組の選択されたモノメディア種別の録画を指示するモノメディア限定情報が付加された録画予約スクリプトを検出し、
前記放送希望番組情報取得スクリプト処理部は、前記解析部により必要モノメディア問合せ情報が検出された場合に、予め設定された放送希望のモノメディア種別を示す必要モノメディア種別情報を放送希望番組情報に付加し、
前記予約スクリプト処理部は、前記解析部によりモノメディア限定情報が検出された場合に、前記録画管理部に当該番組の選択されたモノメディア種別の録画を指示する
ことを特徴とする請求項１３記載の受信機。
【請求項２０】
放送希望の時間帯を示す情報を時間帯希望情報として出力する録画可能時間帯出力部を備え、
前記解析部は、前記分離部により分離されたデータ放送コンテンツから放送希望の時間帯を問合せる時間帯希望問合せ情報が付加された放送希望番組情報取得スクリプトを検出し、
前記放送希望番組情報取得スクリプト処理部は、前記解析部により時間帯希望問合せ情報が検出された場合に、前記録画可能時間帯出力部から出力された時間帯希望情報を放送希望番組情報に付加する
ことを特徴とする請求項１３記載の受信機。
【請求項２１】
前記分離部により分離された番組データのうち、視聴予約または視聴を指示された番組に該当する番組データを復号・再生する映像・音声復号部と、
録画予約された番組と視聴中の番組との放送時間帯が重複する場合に、視聴中の番組を優先して視聴させる優先選択部とを備え、
前記放送希望番組情報生成部は、前記優先選択部により視聴中の番組が優先された場合、録画予約された番組の情報を放送希望番組情報として記録する
ことを特徴とする請求項１３記載の受信機。
【請求項２２】
視聴予約された番組と視聴中の番組との放送時間帯が重複する場合に、視聴予約された番組または視聴中の番組のいずれか一方を優先して視聴させる優先選択部とを備え、
前記放送希望番組情報生成部は、前記優先選択部により優先されていない番組の情報を放送希望番組情報として記録する
ことを特徴とする請求項１４記載の受信機。
【請求項２３】
前記優先選択部は、ユーザによる操作に応じて、視聴予約された番組または視聴中の番組のいずれか一方を優先して視聴させる
ことを特徴とする請求項２２記載の受信機。
【請求項２４】
前記放送希望番組情報生成部は、前記録画管理部により番組の録画を行う際に当該番組の放送時間に延長があった場合に、当該番組の放送時間が延長したことを示す番組延長情報を放送希望番組情報に付加し、
前記解析部は、前記分離部により分離されたデータ放送コンテンツから、番組の延長時間を示す臨時延長情報が付加された録画予約スクリプトを検出し、
前記予約スクリプト処理部は、前記解析部により臨時延長情報が検出された場合に、前記録画管理部に当該番組の延長部分の録画予約を指示する
ことを特徴とする請求項１３記載の受信機。
【請求項２５】
前記放送希望番組情報生成部は、前記録画管理部により番組の一部分を録画できなかった場合に、当該番組の録画済みの先頭・末尾時刻を示す録画済先頭・末尾時刻情報を放送希望番組情報に付加し、
前記解析部は、前記分離部により分離されたデータ放送コンテンツから、当該当該番組の先頭データの当初放送時刻を示す当初放送時刻情報が付加された録画予約スクリプトを検出し、
前記予約スクリプト処理部は、前記解析部により当初放送時刻情報が検出された場合に、前記録画済先頭・末尾時刻情報と比較して、前記録画管理部に当該番組の未録画部分の録画予約を指示する
ことを特徴とする請求項１３記載の受信機。
【請求項２６】
放送波を送信する放送局と、前記放送局からの放送波を受信する受信機とを備えた放送システムにおいて、
前記放送局は、
映像及び音声を含むモノメディアを生成・符号化して番組データを生成する符号化部と、
前記受信機に放送希望の番組を問合せる放送希望番組情報取得スクリプトを生成する放送希望番組情報取得スクリプト生成部と、
前記放送希望番組情報取得スクリプト生成部により生成された放送希望番組情報取得スクリプトを含むデータ放送コンテンツを生成するデータ放送サービス生成部と、
前記符号化部により生成された番組データ及び前記データ放送サービス生成部により生成されたデータ放送コンテンツを多重化して放送波として送信する放送部と、
前記受信機から、前記放送希望番組情報取得スクリプトに基づく放送希望番組情報を受信する回線処理部と、
前記回線処理部により受信された放送希望番組情報を番組毎に集計する放送希望集計部と、
前記放送希望集計部による集計結果に基づいて、送信する番組データの番組編成を行う番組編成管理部とを備え、
前記受信機は、
前記放送部から受信した放送波を番組データとデータ放送コンテンツとに分離する分離部と、
前記分離部により分離された番組データのうち、録画予約または録画を指示された番組に該当する番組データを記録する録画管理部と、
前記分離部が利用され、前記録画管理部により番組の録画を行えない場合に、当該番組の情報に基づき放送希望番組情報を生成する放送希望番組情報生成部と、
前記分離部により分離されたデータ放送コンテンツから放送希望番組情報取得スクリプトを検出する解析部と、
前記解析部により放送希望番組情報取得スクリプトが検出された場合に、前記放送希望番組情報生成部により生成された放送希望番組情報を取得する放送希望番組情報取得スクリプト処理部と、
前記放送希望番組情報取得スクリプト処理部により取得された放送希望番組情報を前記放送局に送信する回線処理部とを備えた
ことを特徴とする放送システム。
【請求項２７】
放送波を送信する放送局と、前記放送局からの放送波を受信する受信機とを備えた放送システムにおいて、
前記放送局は、
映像及び音声を含むモノメディアを生成・符号化して番組データを生成する符号化部と、
前記受信機に放送希望の番組を問合せる放送希望番組情報取得スクリプトを生成する放送希望番組情報取得スクリプト生成部と、
前記放送希望番組情報取得スクリプト生成部により生成された放送希望番組情報取得スクリプトを含むデータ放送コンテンツを生成するデータ放送サービス生成部と、
前記符号化部により生成された番組データ及び前記データ放送サービス生成部により生成されたデータ放送コンテンツを多重化して放送波として送信する放送部と、
前記受信機から、前記放送希望番組情報取得スクリプトに基づく放送希望番組情報を受信する回線処理部と、
前記回線処理部により受信された放送希望番組情報を番組毎に集計する放送希望集計部と、
前記放送希望集計部による集計結果に基づいて、送信する番組データの番組編成を行う番組編成管理部とを備え
前記受信機は、
前記放送部から受信した放送波を番組データとデータ放送コンテンツとに分離する分離部と、
前記分離部により分離された番組データのうち、視聴予約または視聴を指示された番組に該当する番組データを復号・再生する映像・音声復号部と、
前記分離部が利用され、前記映像・音声復号部により番組の視聴を行えない場合に、当該番組の情報に基づき放送希望番組情報を生成する放送希望番組情報生成部と、
前記分離部により分離されたデータ放送コンテンツから放送希望番組情報取得スクリプトを検出する解析部と、
前記解析部により放送希望番組情報取得スクリプトが検出された場合に、前記放送希望番組情報生成部により生成された放送希望番組情報を取得する放送希望番組情報取得スクリプト処理部と、
前記放送希望番組情報取得スクリプト処理部により取得された放送希望番組情報を前記放送局に送信する回線処理部とを備えた
ことを特徴とする放送システム。
【請求項２８】
前記放送局は、
前記番組編成管理部により編成された番組編成情報に基づいて、指定した番組の録画予約を指示する録画予約スクリプトを生成する予約スクリプト生成部を備え、
前記データ放送サービス生成部は、前記予約スクリプト生成部により生成された録画予約スクリプトを含むデータ放送コンテンツを生成し、
前記受信機は、
前記解析部は、前記分離部により分離されたデータ放送コンテンツから録画予約スクリプトを検出し、
前記解析部により録画予約スクリプトが検出された場合に、前記録画管理部に当該番組の録画予約を指示する予約スクリプト処理部を備えた
ことを特徴とする請求項２６記載の放送システム。
【請求項２９】
前記放送局は、
前記番組編成管理部により編成された番組編成情報に基づいて、指定した番組の視聴予約を指示する視聴予約スクリプトを生成する予約スクリプト生成部を備え、
前記データ放送サービス生成部は、前記予約スクリプト生成部により生成された視聴予約スクリプトを含むデータ放送コンテンツを生成し、
前記受信機は、
前記解析部は、前記分離部により分離されたデータ放送コンテンツから視聴予約スクリプトを検出し、
前記解析部により視聴予約スクリプトが検出された場合に、前記映像・音声復号部に当該番組の視聴予約を指示する予約スクリプト処理部を備えた
ことを特徴とする請求項２７記載の放送システム。
【請求項３０】
前記放送局は、
番組データの伝送レートを決定するデータ伝送レート決定部と、
前記データ伝送レート決定部により決定された伝送レートに基づいて、当該番組データの送出タイミングを調整するデータ送出レート制御部とを備え、
前記予約スクリプト生成部は、前記データ伝送レート決定部により決定された伝送レートでの当該番組の録画を指示するデータ伝送レート情報を録画予約スクリプトに付加し、
前記受信機は、
前記解析部は、前記分離部により分離されたデータ放送コンテンツからデータ伝送レート情報が付加された録画予約スクリプトを検出し、
前記予約スクリプト処理部は、前記解析部によりデータ伝送レート情報が検出された場合に、前記録画管理部に当該伝送レートでの番組の録画を指示する
ことを特徴とする請求項２８記載の放送システム。
【請求項３１】
前記放送局は、
前記データ伝送レート決定部により決定された伝送レートの最大値を検出する最大伝送レート決定部を備え、
前記予約スクリプト生成部は、前記最大伝送レート決定部により検出された伝送レートの最大値を示す最大伝送レート情報を録画予約スクリプトに付加し、
前記受信機は、
前記解析部は、前記分離部により分離されたデータ放送コンテンツから最大伝送レート情報が付加された録画予約スクリプトを検出し、
前記予約スクリプト処理部は、前記解析部により最大伝送レート情報が検出された場合に、前記録画管理部に当該最大値を上限とした伝送レートでの番組の録画を指示する
ことを特徴とする請求項３０記載の放送システム。
【請求項３２】
前記放送局は、
番組データの詳細番組情報及び簡易番組情報を生成する番組情報生成部を備え、
前記予約スクリプト生成部は、前記番組情報生成部により生成された詳細番組情報を録画予約スクリプトに付加し、
前記放送部は、録画予約を指示した番組データを送信する際に、前記番組情報生成部により生成された簡易番組情報を多重化し、
前記受信機は、
前記解析部は、前記分離部により分離されたデータ放送コンテンツから詳細番組情報が付加された録画予約スクリプトを検出し、
前記解析部により検出された詳細番組情報を記録する詳細番組情報管理部を備え、
前記録画管理部は、番組の録画を行う際、前記放送局から送信された簡易番組情報及び前記詳細番組情報管理部に記録された詳細番組情報に基づいて録画を行う
ことを特徴とする請求項２８、請求項３０または請求項３１のうちいずれか１項記載の放送システム。
【請求項３３】
前記放送局は、
番組データの詳細番組情報及び簡易番組情報を生成する番組情報生成部を備え、
前記予約スクリプト生成部は、前記番組情報生成部により生成された詳細番組情報を録画予約スクリプトに付加し、
前記放送部は、視聴予約を指示した番組データを送信する際に、前記番組情報生成部により生成された簡易番組情報を多重化し、
前記受信機は、
前記解析部は、前記分離部により分離されたデータ放送コンテンツから詳細番組情報が付加された視聴予約スクリプトを検出し、
前記解析部により検出された詳細番組情報を記録する詳細番組情報管理部を備え、
前記映像・音声復号部は、番組の視聴を行う際、前記放送局から送信された簡易番組情報及び前記詳細番組情報管理部に記録された詳細番組情報に基づいて視聴を行う
ことを特徴とする請求項２９記載の放送システム。
【請求項３４】
前記放送局は、
前記放送希望番組情報取得スクリプトは、前記受信機に放送希望のモノメディア種別を問い合せる必要モノメディア問合せ情報を放送希望番組情報取得スクリプトに付加し、
前記回線処理部は、前記受信機から、前記必要モノメディア問合せ情報に基づく放送希望のモノメディア種別を示す必要モノメディア種別情報が付加された放送希望番組情報を受信し、
前記放送希望集計部は、前記回線処理部により受信された必要モノメディア種別情報をモノメディア種別毎に集計し、
前記番組編成管理部は、前記放送希望集計部による集計結果に基づいて、指定した番組のモノメディア種別を選択し、
前記予約スクリプト生成部は、当該番組の、前記番組編成管理部により選択されたモノメディア種別の録画を指示するモノメディア限定情報を録画予約スクリプトに付加し、
前記受信機は、
前記解析部は、前記分離部により分離されたデータ放送コンテンツから必要モノメディア問合せ情報が付加された放送希望番組情報取得スクリプト、及びモノメディア限定情報が付加された録画予約スクリプトを検出し、
前記放送希望番組情報取得スクリプト処理部は、前記解析部により必要モノメディア問合せ情報が検出された場合に、予め設定された放送希望のモノメディア種別を示す必要モノメディア種別情報を放送希望番組情報に付加し、
前記予約スクリプト処理部は、前記解析部によりモノメディア限定情報が検出された場合に、前記録画管理部に当該番組の選択されたモノメディア種別の録画を指示する
ことを特徴とする請求項２８記載の放送システム。
【請求項３５】
前記放送局は、
前記放送希望番組情報取得スクリプトは、前記受信機に放送希望の時間帯を問い合せる時間帯希望問合せ情報を放送希望番組情報取得スクリプトに付加し、
前記回線処理部は、前記受信機から、前記時間帯希望問合せ情報に基づく時間帯希望情報が付加された放送希望番組情報を受信し、
前記番組編成管理部は、前記回線処理部により受信された時間帯希望情報に基づいて番組編成を行い、
前記受信機は、
放送希望の時間帯を示す情報を時間帯希望情報として出力する録画可能時間帯出力部を備え、
前記解析部は、前記分離部により分離されたデータ放送コンテンツから時間帯希望問合せ情報が付加された放送希望番組情報取得スクリプトを検出し、
前記放送希望番組情報取得スクリプト処理部は、前記解析部により時間帯希望問合せ情報が検出された場合に、前記録画可能時間帯出力部から出力された時間帯希望情報を放送希望番組情報に付加する
ことを特徴とする請求項２８記載の放送システム。
【請求項３６】
前記受信機は、
前記分離部により分離された番組データのうち、視聴予約または視聴を指示された番組に該当する番組データを復号・再生する映像・音声復号部と、
録画予約された番組と視聴中の番組との放送時間帯が重複する場合に、視聴中の番組を優先して視聴させる優先選択部とを備え、
前記放送希望番組情報生成部は、前記優先選択部により視聴中の番組が優先された場合、録画予約された番組の情報を放送希望番組情報として記録する
ことを特徴とする請求項２８記載の放送システム。
【請求項３７】
前記受信機は、
視聴予約された番組と視聴中の番組との放送時間帯が重複する場合に、視聴予約された番組または視聴中の番組のいずれか一方を優先して視聴させる優先選択部とを備え、
前記放送希望番組情報生成部は、前記優先選択部により優先されていない番組の情報を放送希望番組情報として記録する
ことを特徴とする請求項２９記載の放送システム。
【請求項３８】
前記受信機は、
前記優先選択部は、ユーザによる操作に応じて、視聴予約された番組または視聴中の番組のいずれか一方を優先して視聴させる
ことを特徴とする請求項３７記載の放送システム。
【請求項３９】
前記放送局は、
前記回線処理部は、前記受信機から番組の放送時間が延長したことを示す番組延長情報を受信し、
前記番組編成管理部は、前記回線処理部により受信された番組延長情報に基づいて番組編成を行い、
前記予約スクリプト生成部は、前記回線処理部により受信された番組延長情報に基づいて、当該番組の延長時間を示す臨時延長情報を録画予約スクリプトに付加し、
前記受信機は、
前記放送希望番組情報生成部は、前記録画管理部により番組の録画を行う際に当該番組の放送時間に延長があった場合に、当該番組の番組延長情報を放送希望番組情報に付加し、
前記解析部は、前記分離部により分離されたデータ放送コンテンツから臨時延長情報が付加された録画予約スクリプトを検出し、
前記予約スクリプト処理部は、前記解析部により臨時延長情報が検出された場合に、前記録画管理部に当該番組の延長部分の録画予約を指示する
ことを特徴とする請求項２８記載の放送システム。
【請求項４０】
前記放送局は、
前記回線処理部は、前記受信機から番組の録画済みの先頭・末尾時刻を示す録画済先頭・末尾時刻情報を受信し、
前記番組編成管理部は、前記回線処理部により受信された録画済先頭・末尾時刻情報に基づいて番組編成を行い、
前記予約スクリプト生成部は、前記回線処理部により受信された録画済先頭・末尾時刻情報に基づいて、当該番組の先頭データの当初放送時刻を示す当初放送時刻情報を録画予約スクリプトに付加し、
前記受信機は、
前記放送希望番組情報生成部は、前記録画管理部により番組の一部分を録画できなかった場合に、当該番組の録画済先頭・末尾時刻情報を放送希望番組情報に付加し、
前記解析部は、前記分離部により分離されたデータ放送コンテンツから当初放送時刻情報が付加された録画予約スクリプトを検出し、
前記予約スクリプト処理部は、前記解析部により当初放送時刻情報が検出された場合に、前記録画済先頭・末尾時刻情報と比較して、前記録画管理部に当該番組の未録画部分の録画予約を指示する
ことを特徴とする請求項２８記載の放送システム。
【発明の詳細な説明】
【技術分野】
【０００１】
この発明は、例えば、放送波を発信する放送局と、放送局からの放送波を受信する受信機とを備えた放送システムに関するものである。
【背景技術】
【０００２】
従来の、放送波を発信する放送局と、放送局からの放送波を受信する受信機とを備えた放送システムでは、受信機において番組を録画し損ねた場合に、自動的に同一番組の再放送を検索して再録画を行っていた（例えば、特許文献１参照）。あるいは、放送局に再放送予定を問い合わせるメールを自動発信していた（例えば、特許文献２参照）。
【先行技術文献】
【特許文献】
【０００３】
【特許文献１】特開２００１−２６８５０３号公報
【特許文献２】特開２００７−２３５７９９号公報
【発明の概要】
【発明が解決しようとする課題】
【０００４】
しかしながら、特許文献１，２に開示される従来の放送システムでは、番組を録画し損ねた場合、その録画し損ねた番組が再放送されるまで待たなければならないという課題があった。
【０００５】
この発明は、上記のような課題を解決するためになされたもので、受信機において録画予約した番組を録画し損ねた場合にも、この録画し損ねた番組情報を放送局に送り、放送局側でその番組情報に基づいて番組編成を行うことができる放送局、受信機及び放送システムを提供することを目的としている。
【課題を解決するための手段】
【０００６】
この発明に係る放送システムは、放送波を送信する放送局と、放送局からの放送波を受信する受信機とを備え、放送局は、映像及び音声を含むモノメディアを生成・符号化して番組データを生成する符号化部と、受信機に放送希望の番組を問合せる放送希望番組情報取得スクリプトを生成する放送希望番組情報取得スクリプト生成部と、放送希望番組情報取得スクリプト生成部により生成された放送希望番組情報取得スクリプトを含むデータ放送コンテンツを生成するデータ放送サービス生成部と、符号化部により生成された番組データ及びデータ放送サービス生成部により生成されたデータ放送コンテンツを多重化して放送波として送信する放送部と、受信機から、放送希望番組情報取得スクリプトに基づく放送希望番組情報を受信する回線処理部と、回線処理部により受信された放送希望番組情報を番組毎に集計する放送希望集計部と、放送希望集計部による集計結果に基づいて、送信する番組データの番組編成を行う番組編成管理部とを備え、受信機は、放送部から受信した放送波を番組データとデータ放送コンテンツとに分離する分離部と、分離部により分離された番組データのうち、録画予約または録画を指示された番組に該当する番組データを記録する録画管理部と、分離部が利用され、録画管理部により番組の録画を行えない場合に、当該番組の情報に基づき放送希望番組情報を生成する放送希望番組情報生成部と、分離部により分離されたデータ放送コンテンツから放送希望番組情報取得スクリプトを検出する解析部と、解析部により放送希望番組情報取得スクリプトが検出された場合に、放送希望番組情報生成部により生成された放送希望番組情報を取得する放送希望番組情報取得スクリプト処理部と、放送希望番組情報取得スクリプト処理部により取得された放送希望番組情報を放送局に送信する回線処理部とを備えたものである。
【発明の効果】
【０００７】
この発明によれば、上記のように構成したので、番組を録画し損ねた場合にも、受信機で録画し損ねた番組情報を放送局に送り、放送局側でその番組情報に基づいて番組編成を行うことができるため、受信機側の放送希望に基づく番組放送を行うことができる。
【図面の簡単な説明】
【０００８】
【図１】この発明の実施の形態１に係る放送システムの構成を示す図である。
【図２】この発明の実施の形態１に係る放送局の構成を示す図である。
【図３】この発明の実施の形態１における放送希望番組情報取得スクリプトを示す図である。
【図４】この発明の実施の形態１に係る受信機の構成を示す図である。
【図５】この発明の実施の形態１に係る放送局の放送波送信動作を示すフローチャートである。
【図６】この発明の実施の形態１に係る受信機の放送希望番組情報収集動作を示すフローチャートである。
【図７】この発明の実施の形態１に係る放送局の番組編成動作を示すフローチャートである。
【図８】この発明の実施の形態２に係る放送局の構成を示す図である。
【図９】この発明の実施の形態２における録画予約スクリプトを示す図である。
【図１０】この発明の実施の形態２に係る受信機の構成を示す図である。
【図１１】この発明の実施の形態２に係る放送局の番組編成動作を示すフローチャートである。
【図１２】この発明の実施の形態２に係る受信機の録画動作を示すフローチャートである。
【図１３】この発明の実施の形態３に係る放送局の構成を示す図である。
【図１４】この発明の実施の形態３における録画予約スクリプトを示す図である。
【図１５】この発明の実施の形態３に係る放送局の番組編成動作を示すフローチャートである。
【図１６】この発明の実施の形態３に係る受信機の録画動作を示すフローチャートである。
【図１７】この発明の実施の形態４に係る放送局の構成を示す図である。
【図１８】この発明の実施の形態４における録画予約スクリプトを示す図である。
【図１９】この発明の実施の形態４に係る受信機の構成を示す図である。
【図２０】この発明の実施の形態４に係る放送局の番組編成動作を示すフローチャートである。
【図２１】この発明の実施の形態４に係る受信機の録画動作を示すフローチャートである。
【図２２】この発明の実施の形態５に係る放送局の構成を示す図である。
【図２３】この発明の実施の形態５における放送希望番組情報取得スクリプトを示す図である。
【図２４】この発明の実施の形態５における録画予約スクリプトを示す図である。
【図２５】この発明の実施の形態５に係る受信機の構成を示す図である。
【図２６】この発明の実施の形態５に係る放送局の放送波送信動作を示すフローチャートである。
【図２７】この発明の実施の形態５に係る受信機の放送希望番組情報収集動作を示すフローチャートである。
【図２８】この発明の実施の形態５に係る放送局の番組編成動作を示すフローチャートである。
【図２９】この発明の実施の形態５に係る受信機の録画動作を示すフローチャートである。
【図３０】この発明の実施の形態６に係る放送局の構成を示す図である。
【図３１】この発明の実施の形態６における放送希望番組情報取得スクリプトを示す図である。
【図３２】この発明の実施の形態６に係る受信機の構成を示す図である。
【図３３】この発明の実施の形態６に係る放送局の放送波送信動作を示すフローチャートである。
【図３４】この発明の実施の形態６に係る受信機の放送希望番組情報収集動作を示すフローチャートである。
【図３５】この発明の実施の形態６に係る放送局の番組編成動作を示すフローチャートである。
【図３６】この発明の実施の形態７に係る放送局の構成を示す図である。
【図３７】この発明の実施の形態７における録画予約スクリプトを示す図である。
【図３８】この発明の実施の形態７に係る受信機の構成を示す図である。
【図３９】この発明の実施の形態７に係る放送局の番組編成動作を示すフローチャートである。
【図４０】この発明の実施の形態７に係る受信機の録画動作を示すフローチャートである。
【図４１】この発明の実施の形態８に係る受信機の構成を示す図である。
【図４２】この発明の実施の形態８に係る受信機の放送希望番組情報生成動作を示すフローチャートである。
【図４３】この発明の実施の形態９に係る放送局の構成を示す図である。
【図４４】この発明の実施の形態９における放送希望番組情報取得スクリプトを示す図である。
【図４５】この発明の実施の形態９における録画予約スクリプトを示す図である。
【図４６】この発明の実施の形態９に係る受信機の構成を示す図である。
【図４７】この発明の実施の形態９に係る放送局の番組編成動作を示すフローチャートである。
【図４８】この発明の実施の形態９に係る受信機の録画動作を示すフローチャートである。
【図４９】この発明の実施の形態１０に係る放送局の構成を示す図である。
【図５０】この発明の実施の形態１０における放送希望番組情報取得スクリプトを示す図である。
【図５１】この発明の実施の形態１０における録画予約スクリプトを示す図である。
【図５２】この発明の実施の形態１０に係る受信機の構成を示す図である。
【図５３】この発明の実施の形態１０に係る放送局の番組編成動作を示すフローチャートである。
【図５４】この発明の実施の形態１０に係る受信機の録画動作を示すフローチャートである。
【発明を実施するための形態】
【０００９】
以下、この発明の実施の形態について図面を参照しながら詳細に説明する。
実施の形態１．
図１はこの発明の実施の形態１に係る放送システムを示す図である。
放送システムは、図１に示すように、放送波を放送発信アンテナ２を介して送信する放送局１と、放送局１からの放送波を放送受信アンテナ５１を介して受信する受信機５０と、受信機５０からデータを放送局１に送信するＩＰネットワーク１００とから構成される。
【００１０】
図２はこの発明の実施の形態１に係る放送局１の構成を示す図である。
放送局１は、図２に示すように、映像入力部３、音声入力部４、データ放送サービス生成部５、多重化部６、伝送路符号化部７、回線処理部８及び番組編成管理部９から構成される。
【００１１】
映像入力部３は、カメラ等により映像を撮影して符号化を行うものである。この映像入力部３により撮影され符号化された映像データは多重化部６に送信される。
音声入力部４は、マイク等により音声を集音して符号化を行うものである。この音声入力部４により集音され符号化された音声データは多重化部６に送信される。
なお、映像入力部３及び音声入力部４は、この発明の「映像及び音声を含むモノメディアを生成・符号化して番組データを生成する符号化部」に対応する。
【００１２】
データ放送サービス生成部５は、ＣＳＳ（Cascading Style Sheets）生成部１０により生成されたＣＳＳデータと、ＢＭＬ（Broadcast Markup Language）生成部１１により生成されたＢＭＬデータと、スクリプト生成部１２により生成されたスクリプトデータ等とをファイルにまとめたデータ放送コンテンツを生成するものである。このデータ放送サービス生成部５により生成されたデータ放送コンテンツは多重化部６に送信される。
なお、データ放送サービス生成部５により生成されるデータ放送コンテンツは、（社）電波産業会  発行  ＳＴＤ−Ｂ２４「デジタル放送におけるデータ放送符号化方式と伝送方式」に規定されるものである。
【００１３】
また、スクリプト生成部１２は、放送希望番組情報取得スクリプト生成部１３から構成される。
放送希望番組情報取得スクリプト生成部１３は、例えば図３に示されるような、受信機５０に放送希望の番組を問合せるための放送希望番組情報取得スクリプトと、放送希望番組情報取得スクリプトで取得した情報をＩＰネットワーク１００経由で放送局１に返信させるための記述とを生成して、スクリプトデータに埋め込むものである。
【００１４】
多重化部６は、映像入力部３により撮影等されて符号化された映像データ及び音声入力部４により集音等されて符号化された音声データを含む番組データと、データ放送サービス生成部５により生成されたデータ放送コンテンツとを多重化するものである。この多重化部６により多重化されたデータは伝送路符号化部７に送信される。
【００１５】
伝送路符号化部７は、多重化部６により多重化されたデータに対して、送信する伝送路に合わせた符号化を行うものである。この伝送路符号化部７により伝送路符号化されたデータは放送発信アンテナ２を介して放送波として送信される。
なお、多重化部６、伝送路符号化部７及び放送発信アンテナ２は、この発明の「符号化部により生成された番組データ及びデータ放送サービス生成部により生成されたデータ放送コンテンツを多重化して放送波として送信する放送部」に対応する。
【００１６】
回線処理部８は、受信機５０からＩＰネットワーク１００を介してデータを受信するものである。この回線処理部８により受信されたデータは番組編成管理部９に送信される。
番組編成管理部９は、回線処理部８により受信されたデータに含まれる放送希望番組情報に基づいて番組編成を行うものである。この番組編成管理部９は、放送希望集計部１４及び番組編成決定部１５から構成される。
【００１７】
放送希望集計部１４は、回線処理部８により受信されたデータに含まれる放送希望番組情報を番組毎に集計するものである。この放送希望集計部１４による放送希望番組情報の集計結果を示す情報は番組編成決定部１５に送信される。
番組編成決定部１５は、放送希望集計部１４による集計結果及び現在の番組編成情報に基づいて、最適な番組編成を行うものである。
【００１８】
図４はこの発明の実施の形態１に係る受信機５０の構成を示す図である。
受信機５０は、図４に示すように、伝送路復号部５２、分離部５３、映像・音声復号部５４、録画管理部５５、データ放送サービス再生部５６及び回線処理部５７から構成される。
【００１９】
伝送路復号部５２は、放送局１から放送受信アンテナ５１を介して受信した放送波に対して、送信された伝送路に合わせた復号を行うものである。この伝送路復号部５２により伝送路復号された多重化データは分離部５３に送信される。
【００２０】
分離部５３は、伝送路復号部５２により伝送路復号された多重化データを番組データ及びデータ放送コンテンツに分離するものである。この分離部５３により分離された各データは、映像・音声復号部５４、録画管理部５５及びデータ放送サービス再生部５６に送信される。
【００２１】
映像・音声復号部５４は、番組の視聴予約または視聴の指示に従い、分離部５３により分離された番組データのうち、該当する番組データの映像データ及び音声データを復号して再生するものである。
【００２２】
録画管理部５５は、番組の録画予約または録画の指示に行い、分離部５３により分離された番組データのうち、該当する番組データを記録するものである。この録画管理部５５は、再多重化部５８、ディスク５９及び放送希望番組情報生成部６０から構成される。
【００２３】
再多重化部５８は、番組の録画予約または録画の指示に従い、分離部５３により分離された番組データのうち、該当する番組データである映像データ及び音声データを多重化するものである。この再多重化部５８により多重化された番組データはディスク５９に送信される。
ディスク５９は、再多重化部５８により多重化された番組データ及び分離部５３により分離されたデータ放送コンテンツを記録することによって録画予約または録画を指示された番組の録画を行うものである。
【００２４】
放送希望番組情報生成部６０は、分離部５３がユーザの他の操作によって利用され、録画管理部５５が番組の録画を行うことができない場合に、この録画予約された番組を示す情報に基づいて放送希望番組情報を生成するものである。この放送希望番組情報生成部６０により生成された放送希望番組情報は後述する放送希望番組情報取得スクリプト処理部６４により抽出される。
【００２５】
データ放送サービス再生部５６は、分離部５３により分離されたデータ放送コンテンツに対する処理を行うものである。このデータ放送サービス再生部５６は、解析部６１、ＣＳＳ処理部６２及びスクリプト処理部６３から構成される。
【００２６】
解析部６１は、分離部５３により分離されたデータ放送コンテンツのデータ放送言語を解析するものである。ここで、解析部６１は、データ放送コンテンツの中から放送希望番組情報取得スクリプトを検出した場合には、これを後述する放送希望番組情報取得スクリプト処理部６４に送信する。
ＣＳＳ処理部６２は、分離部５３により分離されたデータ放送コンテンツからＣＳＳデータを抽出するものである。
【００２７】
スクリプト処理部６３は、解析部６１により検出されたスクリプトに対する処理を行うものであり、放送希望番組情報取得スクリプト処理部６４から構成される。
放送希望番組情報取得スクリプト処理部６４は、解析部６１から放送希望番組情報取得スクリプトを受信した際に、この記述内容を確認して、放送希望番組情報生成部６０により生成された放送希望番組情報を取得するものである。この放送希望番組情報取得スクリプト処理部６４により取得された放送希望番組情報は、スクリプトの指示に従い、回線処理部５７に送信される。
【００２８】
回線処理部５７は、放送希望番組情報取得スクリプト処理部６４により取得された放送希望番組情報を、スクリプトの指示に従い、ＩＰネットワーク１００を介して放送局１に送信するものである。
【００２９】
次に、上記のように構成された放送システムの動作について説明する。
まず、放送局１の放送波送信動作について説明する。図５はこの発明の実施の形態１に係る放送局１の放送波送信動作を示すフローチャートである。
放送局１の放送波送信動作では、図５に示すように、まず、映像入力部３は映像を撮影して符号化を行い映像データを生成し、音声入力部４は音声を集音して符号化を行い音声データを生成することによって、番組データを生成する（ステップＳＴ５１）。この映像入力部３及び音声入力部４により生成された映像データ及び音声データを含む番組データは多重化部６に送信される。
【００３０】
次いで、放送希望番組情報取得スクリプト生成部１３は、放送希望番組情報取得スクリプトを生成して、スクリプトデータに埋め込む（ステップＳＴ５２）。この放送希望番組情報取得スクリプト生成部１３により生成されたスクリプトデータは、データ放送サービス生成部５によって、ＣＳＳ生成部１０により生成されたＣＳＳデータ及びＢＭＬ生成部１１により生成されたＢＭＬデータとともに、データ放送コンテンツにまとめられ多重化部６に送信される。
【００３１】
次いで、多重化部６は、映像入力部３及び音声入力部４により生成された番組データと、データ放送サービス生成部５により生成されたデータ放送コンテンツとを多重化する（ステップＳＴ５３）。この多重化部６により多重化されたデータは伝送路符号化部７に送信される。
【００３２】
次いで、伝送路符号化部７は、多重化部６により多重化されたデータに対して、伝送路に合わせた符号化を行い、放送発信アンテナ２を介して放送波として送信する（ステップＳＴ５４）。
【００３３】
次に、受信機５０の放送希望番組情報収集動作について説明する。図６はこの発明の実施の形態１に係る受信機５０の放送希望番組情報収集動作を示すフローチャートである。
受信機５０の放送希望番組情報収集動作では、図６に示すように、まず、伝送路復号部５２は、放送局１から放送受信アンテナ５１を介して受信した放送波を伝送路復号する（ステップＳＴ６１）。この伝送路復号部５２により伝送路復号された多重化データは分離部５３に送信される。
【００３４】
次いで、分離部５３は、伝送路復号部５２により伝送路復号された多重化データを番組データ及びデータ放送コンテンツに分離する（ステップＳＴ６２）。この分離部５３により分離された各データは録画管理部５５及びデータ放送サービス再生部５６に送信される。
【００３５】
録画管理部５５では、分離部５３により分離された番組データのうち、録画予約または録画を指示された番組に該当する番組データを記録する。ここで、放送希望番組情報生成部６０は、分離部５３がユーザの他の操作によって利用され、録画管理部５５が番組の録画を行うことができない場合には、この番組を示す情報に基づいて放送希望番組情報を生成する。
【００３６】
一方、データ放送サービス再生部５６の解析部６１は、分離部５３により分離されたデータ放送コンテンツのデータ放送言語を解析して、データ放送コンテンツの中から放送希望番組情報取得スクリプトを検出する（ステップＳＴ６３）。この解析部６１により検出された放送希望番組情報取得スクリプトは放送希望番組情報取得スクリプト処理部６４に送信される。
【００３７】
次いで、放送希望番組情報取得スクリプト処理部６４は、解析部６１から放送希望番組情報取得スクリプトを受信した際に、この記述内容を確認して、放送希望番組情報生成部６０により生成された放送希望番組情報を取得する（ステップＳＴ６４）。この放送希望番組情報取得スクリプト処理部６４により取得された放送希望番組情報は回線処理部５７に送信される。
【００３８】
次いで、回線処理部５７は、放送希望番組情報取得スクリプト処理部６４により取得された放送希望番組情報をＩＰネットワーク１００を介して放送局１に送信する（ステップＳＴ６５）。
【００３９】
次に、放送局１の番組編成動作について説明する。図７はこの発明の実施の形態１に係る放送局１の番組編成動作を示すフローチャートである。
放送局１の番組編成動作では、図７に示すように、まず、回線処理部８は、受信機５０からＩＰネットワーク１００を介して放送希望番組情報を受信する（ステップＳＴ７１）。この回線処理部８により受信された放送希望番組情報は放送希望集計部１４に送信される。
【００４０】
次いで、放送希望集計部１４は、回線処理部８により受信された放送希望番組情報を番組毎に集計する（ステップＳＴ７２）。この放送希望集計部１４による集計結果を示す情報は番組編成決定部１５に送信される。
次いで、番組編成決定部１５は、放送希望集計部１４による集計結果及び現在の番組編成情報に基づいて、最適な番組編成を行う（ステップＳＴ７３）。
【００４１】
以上のように、この実施の形態１によれば、受信機５０において、録画をできなかった番組を示す情報に基づいて放送希望番組情報を生成し、放送局１から放送希望の番組の問合せを受けた際にこの放送希望番組情報を放送局１に送信するように構成し、放送局１において、受信機５０から受信した放送希望番組情報に基づいて番組編成を行うように構成したので、放送局１で受信機５０の放送希望に基づいた番組編成を行うことができる。
【００４２】
この実施の形態１に係る放送システムは、受信機５０において、例えば、すでにある番組を録画中のために裏番組を録画することができない場合や、同時に放送される複数の番組を録画したい場合、放送終了後にユーザより録画を希望された場合等に適用可能である。
また、放送局１において、上記方法で再放送することとなった番組について有料放送としてサービスすることも可能である。
【００４３】
なお、この実施の形態１に係る放送システムでは、録画のための放送希望に適用して説明したが、視聴のための放送希望に適用してもよく、例えば、視聴を開始する際にユーザが別番組を視聴中であり視聴できない場合や、同時放送される複数の番組を視聴したい場合、放送終了後にユーザより視聴を希望された場合等に適用可能である。
この場合には、放送希望番組情報生成部６０は、分離部５３がユーザの他の操作によって利用され、映像・音声復号部５４が番組の再生を行うことができない場合に、この番組を示す情報に基づいて放送希望番組情報を生成する。
また、放送局１において、上記方法で再放送することとなった番組について有料放送としてサービスすることも可能である。
【００４４】
なお、この実施の形態１に係る放送システムでは、日本のデータ放送コンテンツ規定であるＡＲＩＢ  ＳＴＤ−Ｂ２４を参照し、ＢＭＬを利用するものを示したが、放送局１の意図で放送波に多重されるデータを利用して放送希望番組情報を収集するようにすれば、どのようなものであってもよく、他方式であってもよい。
【００４５】
なお、この実施の形態１に係る放送システムでは、放送形態および再放送形態については開示しておらず、放送電波等の無線回線であっても、インターネット等有線回線であってもよい。これは以降の実施の形態でも同様である。
【００４６】
実施の形態２．
実施の形態１では、放送局１からの指示によって受信機５０側の放送希望番組情報を放送局１に送信させるものについて示したが、実施の形態２は、放送局１からの指示に従い、受信機５０に対して自動的に録画予約を行わせるものである。
この実施の形態２に係る放送システムは、図１に示す実施の形態１に係る放送システムと同様の構成であり、その説明を省略する。
図８はこの発明の実施の形態２に係る放送局１の構成を示す図である。この図８に示す実施の形態２に係る放送局１は、図２に示す実施の形態１に係る放送局１のスクリプト生成部１２に予約スクリプト生成部１６を追加したものである。その他の構成は同様であり、同一の符号を付してその説明を省略する。
【００４７】
予約スクリプト生成部１６は、番組編成決定部１５により編成された新たな番組編成情報に基づいて、例えば図９に示されるような、指定した番組の録画予約を受信機５０に指示するための録画予約スクリプトを生成して、スクリプトデータに埋め込むものである。
【００４８】
図１０はこの発明の実施の形態２に係る受信機５０の構成を示す図である。この図１０に示す実施の形態２に係る受信機５０は、図４に示す実施の形態１に係る受信機５０のスクリプト処理部６３に予約スクリプト処理部６５を追加し、録画管理部５５に予約スクリプトＩＦ部６６を追加したものである。その他の構成は同様であり、同一の符号を付してその説明を省略する。
なお、解析部６１は、データ放送コンテンツの中から録画予約スクリプトを検出した場合には、これを予約スクリプト処理部６５に送信する。
【００４９】
予約スクリプト処理部６５は、解析部６１から録画予約スクリプトを受信した際に、この記述内容を確認して、録画予約スクリプトを予約スクリプトＩＦ部６６を介して録画管理部５５に送信して、放送局１により指定された番組の録画予約を指示するものである。
【００５０】
また、録画管理部５５は、予約スクリプト処理部６５から予約スクリプトＩＦ部６６を介して録画予約スクリプトを受信した際に、この記述内容と現在の録画予約リストを確認し、新規録画予約が可能であれば録画予約リストに追加して録画予約を行う。またこの際、録画管理部５５は、予約スクリプトＩＦ部６６を介して予約スクリプト処理部６５に録画予約が完了した旨を通知する。
【００５１】
次に、上記のように構成された放送システムの動作について説明する。
ここで、放送局１の放送波送信動作及び受信機５０の放送希望番組情報収集動作は図５，６に示す実施の形態１に係る放送局１の放送波送信動作及び受信機５０の放送希望番組情報収集動作と同様であり、その説明を省略する。
【００５２】
次に、放送局１の番組編成動作について説明する。図１１はこの発明の実施の形態２に係る放送局１の番組編成動作を示すフローチャートである。図１１において、図７に示す実施の形態１に係る放送局１の番組編成動作と同様の動作についてはその説明を簡略化する。
放送局１の番組編成動作では、図１１に示すように、まず、回線処理部８は受信機５０から放送希望番組情報を受信し、放送希望集計部１４は放送希望番組情報を番組毎に集計し、番組編成決定部１５は最適な番組編成を行う（ステップＳＴ１１１〜１１３）。この番組編成決定部１５により編成された新たな番組編成情報は予約スクリプト生成部１６に送信される。
【００５３】
次いで、予約スクリプト生成部１６は、番組編成決定部１５により編成された新たな番組編成情報に基づいて、録画予約スクリプトを生成してスクリプトデータに埋め込む（ステップＳＴ１１４）。この予約スクリプト生成部１６により生成されたスクリプトデータは、データ放送サービス生成部５によりデータ放送コンテンツにまとめられ多重化部６に送信される。
【００５４】
次いで、多重化部６は番組データとデータ放送コンテンツとを多重化し、伝送路符号化部７は多重化データに対して伝送路符号化を行い、放送発信アンテナ２を介して放送波として送信する（ステップＳＴ１１５，１１６）。
【００５５】
次に、受信機５０の録画動作について説明する。図１２はこの発明の実施の形態２に係る受信機５０の録画動作を説明するフローチャートである。
受信機５０の録画動作では、図１２に示すように、まず、伝送路復号部５２は放送局１から受信した放送波を伝送路復号し、分離部５３は伝送路復号された多重化データを番組データ及びデータ放送コンテンツに分離する（ステップＳＴ１２１，１２２）。
【００５６】
次いで、解析部６１は、分離部５３により分離されたデータ放送コンテンツの中から録画予約スクリプトを検出する（ステップＳＴ１２３）。この解析部６１により検出された録画予約スクリプトは予約スクリプト処理部６５に送信される。
【００５７】
次いで、予約スクリプト処理部６５は、解析部６１から録画予約スクリプトを受信した際に、この記述内容を確認して録画管理部５５に送信し、放送局１により指定された番組の録画予約を指示する（ステップＳＴ１２４）。
【００５８】
次いで、録画管理部５５は、予約スクリプト処理部６５から録画予約スクリプトを受信した際に、この記述内容と現在の録画予約リストを確認し、新規録画予約が可能であれば録画予約を行う（ステップＳＴ１２５）。また、録画管理部５５は、予約スクリプト処理部６５に録画予約が完了した旨を通知する。
【００５９】
以上のように、この実施の形態２によれば、放送局１は、放送希望番組情報に基づいて編成した番組編成情報から指定した番組を受信機５０に録画予約させるように構成したので、受信機１５側からの放送希望に基づいて放送局１が指定した番組を、受信機５０に自動的に録画予約させることが可能となる。
また、放送希望番組情報によらずに、放送局１からの意図により受信機５０に録画予約させることも可能である。
【００６０】
なお、この実施の形態２に係る放送システムでは、番組を録画する場合について説明したが、番組を視聴する場合に適用してもよい。
この場合には、放送局１の予約スクリプト生成部１６は、番組編成決定部１５により編成された新たな番組編成情報に基づいて、指定された番組の視聴予約を受信機５０に指示するための視聴予約スクリプトを生成してスクリプトデータに埋め込む。
また、受信機５０の解析部６１は、データ放送コンテンツの中から視聴予約スクリプトを検出し、予約スクリプト処理部６５は、解析部６１により検出された視聴予約スクリプトを受信した際に、映像・音声復号部５４に放送局１により指定された番組の視聴予約を指示する。
【００６１】
実施の形態３．
実施の形態１，２では、放送局１において受信機５０側の放送希望に基づいて番組編成を行うものについて示したが、実施の形態３は、放送局１により決定した伝送レートで受信機５０に番組の録画をさせるものである。
この実施の形態３に係る放送システムは、図１に示す実施の形態１に係る放送システムと同様の構成であり、その説明を省略する。また、この実施の形態３に係る受信機５０は、図１０に示す実施の形態２に係る受信機５０と同様の構成であり、その説明を省略する。
【００６２】
図１３はこの発明の実施の形態３に係る放送局１の構成を示す図である。この図１３に示す実施の形態３に係る放送局１は、図８に示す実施の形態２に係る放送局１の番組編成決定部１５にデータ伝送レート決定部１７を追加し、予約スクリプト生成部１６を予約スクリプト生成部１８に変更し、データ送出レート制御部１９を追加したものである。その他の構成は同様であり、同一の符号を付してその説明を省略する。
【００６３】
データ伝送レート決定部１７は、番組編成決定部１５により指定された番組の放送時間帯に応じた伝送レートを決定するものである。このデータ伝送レート決定部１７は、現在の番組編成情報から指定された番組の放送時間帯伝送帯域の余りを算出することにより伝送レートを決定する。このデータ伝送レート決定部１７により決定された伝送レートを示す情報は予約スクリプト生成部１８及びデータ送出レート制御部１９に送信される。
【００６４】
予約スクリプト生成部１８は、番組編成決定部１５により編成された新たな番組編成情報及びデータ伝送レート決定部１７により決定されたデータ伝送レートに基づいて、例えば図１４に示すような、決定された伝送レートで指定された番組を録画することを示すデータ伝送レート情報を付加した録画予約スクリプトを生成して、スクリプトデータに埋め込むものである。
データ送出レート制御部１９は、データ伝送レート決定部１７により決定された伝送レートに基づいて、該当する番組データのデータ送出タイミングを調整するものである。
【００６５】
次に、上記のように構成された放送システムの動作について説明する。
ここで、放送局１の放送波送信動作及び受信機５０の放送希望番組情報収集動作は図５，６に示す実施の形態１に係る放送局１の放送波送信動作及び受信機５０の放送希望番組情報収集動作と同様の動作であり、その説明を省略する。
【００６６】
次に、放送局１の番組編成動作について説明する。図１５はこの発明の実施の形態３に係る放送局１の番組編成動作を示すフローチャートである。図１５において、図１１に示す実施の形態２に係る放送局１の番組編成動作と同様の動作についてはその説明を簡略化する。
放送局１の番組編成動作では、図１５に示すように、まず、回線処理部８は受信機５０から放送希望番組情報を受信し、放送希望集計部１４は放送希望番組情報を番組毎に集計し、番組編成決定部１５は最適な番組編成を行う（ステップＳＴ１５１〜１５３）。この番組編成決定部１５により編成された新たな番組編成情報は予約スクリプト生成部１８に送信される。
【００６７】
次いで、データ伝送レート決定部１７は、現在の番組編成情報に基づいて、番組編成決定部１５により指定された番組の伝送レートを決定する（ステップＳＴ１５４）。このデータ伝送レート決定部１７により決定された伝送レートを示す情報は予約スクリプト生成部１８に送信される。
【００６８】
次いで、予約スクリプト生成部１８は、番組編成決定部１５により編成された新たな番組編成情報及びデータ伝送レート決定部１７により決定された伝送レートに基づいて、データ伝送レート情報を付加した録画予約スクリプトを生成してスクリプトデータに埋め込む（ステップＳＴ１５５）。この予約スクリプト生成部１８により生成されたスクリプトデータは、データ放送サービス生成部５によりデータ放送コンテンツにまとめられる。
【００６９】
次いで、多重化部６は番組データとデータ放送コンテンツとを多重化し、伝送路符号化部７は多重化データに対して伝送路符号化を行い、放送発信アンテナ２を介して放送波として送信する（ステップＳＴ１５６，１５７）。
【００７０】
次に、受信機５０の録画動作について説明する。図１６はこの発明の実施の形態３に係る受信機５０の録画動作を説明するフローチャートである。図１６において、図１２に示す実施の形態２に係る受信機５０の録画動作と同様の動作についてはその説明を簡略化する。
受信機５０の録画動作では、図１６に示すように、まず、伝送路復号部５２は放送局１から受信した放送波を伝送路復号し、分離部５３は伝送路復号された多重化データを番組データ及びデータ放送コンテンツに分離する（ステップＳＴ１６１，１６２）。
【００７１】
次いで、解析部６１は、分離部５３により分離されたデータ放送コンテンツの中からデータ伝送レート情報が付加された録画予約スクリプトを検出する（ステップＳＴ１６３）。この解析部６１により検出された伝送レート情報が付加された録画予約スクリプトは予約スクリプト処理部６５に送信される。
【００７２】
次いで、予約スクリプト処理部６５は、解析部６１からデータ伝送レート情報が付加された録画予約スクリプトを受信した際に、この記述内容を確認して録画管理部５５に送信し、放送局１により決定された伝送レートで指定された番組を録画することを追加した録画予約を指示する（ステップＳＴ１６４）。
次いで、録画管理部５５は録画予約を行う（ステップＳＴ１６５）。また、録画管理部５５は、予約スクリプト処理部６５に録画予約が完了した旨を通知する。
【００７３】
以上のように、この実施の形態３によれば、放送局１で受信機５０の放送希望に基づく番組編成情報から指定した番組の伝送レートを決定し、受信機５０にこの伝送レートで番組を録画させるように構成したので、番組単位で再生レートと異なる伝送レートで番組データを送信して受信機５０に録画させることが可能となる。
【００７４】
実施の形態４．
実施の形態３では、録画予約スクリプトにデータ伝送レート情報を付加することで、再生レートとは異なる伝送レートで番組データを送信するものについて示したが、実施の形態４は、録画予約スクリプトに詳細番組情報を付加して、録画を指示した番組の放送時には簡易番組情報のみを送信するようにしたものである。
この実施の形態４に係る放送システムは、図１に示す実施の形態１に係る放送システムと同様の構成であり、その説明を省略する。
【００７５】
まず、デジタル放送サービスにおける番組情報について簡単に説明する。
番組情報は（社）電波産業会  標準規格ＳＴＤ−Ｂ１０「デジタル放送に使用する番組配列情報」および技術資料ＴＲ−Ｂ１４「地上デジタルテレビジョン放送運用規定」に規定されるものであり、番組データ及びデータ放送コンテンツを多重化する際に同報される情報である。この番組情報は、受信機５０において、当該番組を特定し、かつ番組データを復号・再生するための情報、及び受信機で電子番組表を生成するための情報を記述したものである。
【００７６】
この番組情報を大きく分類すると以下のとおりとなる。
まず、番組データを復号・再生するための情報としては、ＰＡＴ（Program Association Table）、ＰＭＴ（Program Map Table）、ＣＡＴ（Conditional Access Table）、ＮＩＴ（Network Information Table）、ＳＤＴ（Service Description Table）及びＴＯＴ（Time Offset Table）が挙げられる。
また、番組を特定する情報としてはＥＩＴ（Event Information Table）［ｐ／ｆ］が挙げられる。
また、電子番組表を生成するための情報としては、ＥＩＴ（Event Information Table）［ｓｃｈｅｄｕｌｅ］が挙げられる。
【００７７】
図１７はこの発明の実施の形態４に係る放送局１の構成を示す図である。この図１７に示す実施の形態４に係る放送局１は、図８に示す実施の形態２に係る放送局１に番組情報生成部２０を追加し、予約スクリプト生成部１６を予約スクリプト処理部２１に変更したものである。その他の構成は同様であり、同一の符号を付してその説明を省略する。
【００７８】
番組情報生成部２０は、番組編成決定部１５により編成された番組編成情報に基づいて番組情報を生成するものである。この番組情報生成部２０は、詳細番組情報生成部２２及び簡易番組情報生成部２３から構成される。
【００７９】
詳細番組情報生成部２２は、番組情報生成部２０による指示に従い、番組編成決定部１５により編成された番組編成情報に基づいて、番組に関する詳細番組情報を生成するものである。詳細番組情報生成部２２では、ＰＡＴ、ＰＭＴ、ＮＩＴ、ＳＤＴ、ＥＩＴ［ｐ／ｆ］、ＥＩＴ［ｓｃｈｅｄｕｌｅ］を含む詳細番組情報を生成する。この詳細番組情報生成部２２により生成された詳細番組情報は予約スクリプト処理部２１に送信される。
【００８０】
簡易番組情報生成部２３は、番組情報生成部２０による指示に従い、番組編成決定部１５により編成された番組編成情報に基づいて、番組に関する簡易番組情報を生成するものである。簡易番組情報生成部２３では、ＰＡＴ、ＰＭＴ、ＣＡＴ、ＴＯＴを含む簡易番組情報を生成する。この簡易番組情報生成部２３により生成された簡易番組情報は、録画指示した番組を放送する際に、多重化部６に送信され、番組データ等と多重化されて放送波として送信される。
【００８１】
予約スクリプト処理部２１は、番組編成決定部１５により編成された新たな番組編成情報及び簡易番組情報生成部２３により生成された詳細番組情報に基づいて、例えば図１８に示すような、詳細番組情報を付加した録画予約スクリプトを生成してスクリプトデータに埋め込むものである。
【００８２】
図１９はこの発明の実施の形態３に係る受信機５０の構成を示す図である。この図１９に示す実施の形態３に係る受信機５０は、図１０に示す実施の形態２に係る受信機５０の予約スクリプト処理部６５を予約スクリプト処理部６８に変更し、録画管理部５５に詳細番組情報管理部６７を追加したものである。その他の構成は同様であり、同一の符号を付してその説明を省略する。
なお、解析部６１は、データ放送コンテンツの中から詳細番組情報が付加された録画予約スクリプトを検出した場合には、これを予約スクリプト処理部６８に送信する。
【００８３】
予約スクリプト処理部６８は、解析部６１から詳細番組情報が付加された録画予約スクリプトを受信した際に、この記述内容を確認して、この詳細番組情報が付加された録画予約スクリプトを予約スクリプトＩＦ部６６を介して録画管理部５５に送信して、放送局１により指定された番組の録画予約を指示するものである。また、予約スクリプト処理部６８は、詳細番組情報を詳細番組情報管理部６７に送信する。
【００８４】
詳細番組情報管理部６７は、予約スクリプト処理部６８から送信された詳細番組情報を録画予約された番組の放送時まで記録するものである。この詳細番組情報管理部６７に記録された詳細番組情報は録画管理部５５により抽出される。
なお、録画管理部５５は、録画を行う際、放送局１から送信された簡易番組情報及び詳細番組情報管理部６７に記録された詳細番組情報に基づいて録画を行う。
【００８５】
次に、上記のように構成された放送システムの動作について説明する。
ここで、放送局１の放送波送信動作及び受信機５０の放送希望番組情報収集動作は図５，６に示す実施の形態１に係る放送局１の放送波送信動作及び受信機５０の放送希望番組情報収集動作と同様の動作であり、その説明を省略する。
【００８６】
次に、放送局１の番組編成動作について説明する。図２０はこの発明の実施の形態４に係る放送局１の番組編成動作を示すフローチャートである。図２０において、図１１に示す実施の形態２に係る放送局１の番組編成動作と同様の動作についてはその説明を簡略化する。
放送局１の番組編成動作では、図２０に示すように、まず、回線処理部８は受信機５０から放送希望番組情報を受信し、放送希望集計部１４は放送希望番組情報を番組毎に集計し、番組編成決定部１５は最適な番組編成を行う（ステップＳＴ２０１〜２０３）。この番組編成決定部１５により編成された新たな番組編成情報は番組情報生成部２０及び予約スクリプト処理部２１に送信される。
【００８７】
次いで、番組情報生成部２０の詳細番組情報生成部２２は番組に関する詳細番組情報を生成し、簡易番組情報生成部２３は番組に関する簡易番組情報を生成する（ステップＳＴ２０４）。この詳細番組情報生成部２２により生成された詳細番組情報は予約スクリプト生成部２１に送信される。また、簡易番組情報生成部２３により生成された簡易番組情報は、録画予約を指示した番組を放送する際に多重化部６に送信される。
【００８８】
次いで、予約スクリプト生成部２１は、番組編成決定部１５により編成された新たな番組編成情報及び詳細番組情報生成部２２により生成された詳細番組情報に基づいて、詳細番組情報を付加した録画予約スクリプトを生成してスクリプトデータに埋め込む（ステップＳＴ２０５）。この予約スクリプト生成部２１により生成されたスクリプトデータは、データ放送サービス生成部５によりデータ放送コンテンツにまとめられる。
【００８９】
次いで、多重化部６は番組データとデータ放送コンテンツとを多重化し、伝送路符号化部７は多重化データに対して伝送路符号化を行い、放送発信アンテナ２を介して放送波として送信する（ステップＳＴ２０６，２０７）。なお、多重化部６は、録画予約を指示した番組を放送する際には、簡易番組情報生成部２３により生成された簡易番組情報を番組データと多重化する。
【００９０】
次に、受信機５０の録画動作について説明する。図２１はこの発明の実施の形態４に係る受信機５０の録画動作を説明するフローチャートである。図２１において、図１２に示す実施の形態２に係る受信機５０の録画動作と同様の動作についてはその説明を簡略化する。
受信機５０の録画動作では、図２１に示すように、まず、伝送路復号部５２は放送局１から受信した放送波を伝送路復号し、分離部５３は伝送路復号された多重化データを番組データ及びデータ放送コンテンツに分離する（ステップＳＴ２１１，２１２）。
【００９１】
次いで、解析部６１は、分離部５３により分離されたデータ放送コンテンツの中から詳細番組情報が付加された録画予約スクリプトを検出する（ステップＳＴ２１３）。この解析部６１により検出された詳細番組情報が付加された録画予約スクリプトは予約スクリプト処理部６８に送信される。
【００９２】
次いで、予約スクリプト処理部６８は、解析部６１から詳細番組情報が付加された録画予約スクリプトを受信した際に、この記述内容を確認して録画管理部５５に送信し、放送局１により指定された番組の録画予約を指示する（ステップＳＴ２１４）。また、予約スクリプト処理部６８は、詳細番組情報を詳細番組情報管理部６７に送信し、録画予約が指示された番組の放送時まで記録させる（ステップＳＴ２１５）。
【００９３】
次いで、録画管理部５５は録画予約を行う（ステップＳＴ２１６）。また、録画管理部５５は、予約スクリプト処理部６８に録画予約が完了した旨を通知する。
次いで、録画管理部５５は、録画予約を指示された番組が放送される際に、放送局１から送信された簡易番組情報及び詳細番組情報管理部６７に記録された詳細番組情報に基づいて番組の録画を行う（ステップＳＴ２１７）。
【００９４】
以上のように、この実施の形態４によれば、放送局１で、受信機５０の放送希望に基づく番組編成情報から指定した番組の録画予約を指示する際には詳細番組情報を付加し、録画予約した番組の放送時には簡易番組情報を付加するように構成したので、受信機５０では、録画管理部５５で録画を開始するにあたり、受信した放送波に含まれる簡易番組情報及び詳細番組情報管理部６７に記録された詳細番組情報を全体の番組情報として録画を行うことにより、通常の録画と同様に処理することが可能となる。
【００９５】
なお、実施の形態４に係る放送システムでは、簡易番組情報にＰＭＴを入れたものを示したが、簡易番組情報からＰＭＴを外して詳細番組情報のみに入れるようにし、この詳細番組情報が付加された録画予約スクリプトを受信した受信機５０のみが当該番組のＰＭＴを取得可能とし、この録画予約手順を行った端末のみが当該番組を録画可能とすることで、当該サービスにおける課金も可能である。
【００９６】
なお、この実施の形態４に係る放送システムでは、番組を録画する場合について説明したが、番組を視聴する場合に適応してもよい。
この場合には、送信局１の予約スクリプト生成部２１は、詳細番組情報生成部２２により生成された詳細番組情報を付加した視聴予約スクリプトを生成する。また、視聴予約を指示した番組を放送する際には、簡易番組情報生成部２３により生成された簡易番組情報を多重化部６に送信する。
また、受信機５０の解析部６１は、データ放送コンテンツの中から詳細番組情報が付加された視聴予約スクリプトを検出し、予約スクリプト処理部６８は、解析部６１により検出された詳細番組情報が付加された視聴予約スクリプトを受信した際に、映像・音声復号部５４に対して番組の視聴予約を指示する。また、映像・音声復号部５４は、視聴を行う際に、放送局１から送信された簡易番組情報及び詳細番組情報管理部６７に記録された詳細番組情報に基づいて、視聴指示された番組の視聴を行う。
【００９７】
実施の形態５．
実施の形態４では、放送局１が録画予約を指示する際に受信機５０に詳細番組情報を送信しておくものについて示したが、実施の形態５は、放送局１において、放送可能な番組の複数のモノメディア種別のうちから選択したモノメディア種別のみを録画させるようにしたものである。
この実施の形態５に係る放送システムは、図１に示す実施の形態１に係る放送システムの構成と同様であり、その説明を省略する。
【００９８】
図２２はこの発明の実施の形態５に係る放送局１の構成を示す図である。この図２２に示す実施の形態５に係る放送局１は、図８に示す実施の形態２に係る放送局１の映像入力部３を複数の映像入力部３ａ〜３ｘに変更し、音声入力部４を複数の音声入力部４ａ〜４ｘに変更し、放送希望番組情報取得スクリプト生成部１３を放送希望番組情報取得スクリプト生成部２４に変更し、番組編成管理部９にモノメディア選択部２５を追加し、予約スクリプト生成部１６を予約スクリプト生成部２６に変更したものである。その他の構成は同様であり、同一の符号を付してその説明を省略する。
【００９９】
なお、放送希望集計部１４は、回線処理部８により受信機５０で放送希望のモノメディア種別を示す必要モノメディア種別情報が付加された放送希望番組情報が検出された場合には、この放送希望番組情報を番組及びモノメディア種別毎に集計する。また、放送希望集計部１４は、番組編成決定部１５により指定された番組に対応する必要モノメディア種別情報の集計結果をモノメディア選択部２５に送信する。
【０１００】
複数の映像入力部３ａ〜３ｘは、異なる符号化方式Ａ〜Ｘで符号化された映像データを生成するものである。
複数の音声入力部４ａ〜４ｘは、異なる言語Ａ〜Ｘの音声データを生成するものである。
【０１０１】
放送希望番組情報取得スクリプト生成部２４は、例えば図２３に示すような、放送局１において放送可能な複数のモノメディア種別（符号化方式Ａ〜Ｘ、言語Ａ〜Ｘ）のうち放送希望のモノメディア種別を問合せる必要モノメディア問合せ情報を付加した放送希望番組情報取得スクリプトを生成して、スクリプトデータに埋め込むものである。
【０１０２】
モノメディア選択部２５は、番組希望集計部１５から送信された、指定された番組の必要モノメディア種別情報の集計結果に基づいて、番組のモノメディア種別を選択するものである。このモノメディア選択部２５により選択された番組のモノメディア種別を示す情報は予約スクリプト生成部２６に送信される。
【０１０３】
予約スクリプト生成部２６は、番組編成決定部１５により編成された新たな番組編成情報及びモノメディア選択部２５により選択されたモノメディア種別に基づいて、例えば図２４に示されるような、指定された番組の選択されたモノメディア種別のみの録画予約を指示するモノメディア限定情報が付加された録画予約スクリプトを生成して、スクリプトデータに埋め込むものである。
【０１０４】
図２５はこの発明の実施の形態５に係る受信機５０の構成を示す図である。この図２５に示す実施の形態５に係る受信機５０は、図１０に示す実施の形態２に係る受信機５０の放送希望番組情報生成部６０にモノメディア選択部６９を追加し、放送希望番組情報取得スクリプト処理部６４を放送希望番組情報取得スクリプト処理部７０に変更し、予約スクリプト処理部６５を予約スクリプト処理部７１に変更したものである。その他の構成は同様であり、同一の符号を付してその説明を省略する。
【０１０５】
なお、解析部６１は、データ放送コンテンツの中から、必要モノメディア問合せ情報が付加された放送希望番組情報取得スクリプトを検出した場合には、これを放送希望番組情報取得スクリプト処理部７０に送信し、モノメディア限定情報が付加された録画予約スクリプトを検出した場合には、これを予約スクリプト処理部７１に送信する。
【０１０６】
モノメディア選択部６９は、予め放送希望のモノメディア種別を選択するものである。このモノメディア選択部６９により選択された放送希望のモノメディア種別を示す必要モノメディア種別情報は放送希望番組情報取得スクリプト処理部７０または予約スクリプト処理部７１によって抽出される。
【０１０７】
放送希望番組情報取得スクリプト処理部７０は、解析部６１から必要モノメディア問合せ情報が付加された放送希望番組情報取得スクリプトを受信した際に、モノメディア選択部６９から必要モノメディア種別情報を取得して、放送局１において放送可能なモノメディア種別の中に放送希望のモノメディア種別が存在するかを検索するものである。ここで、放送希望番組情報取得スクリプト処理部７０は、放送局１で放送可能なモノメディア種別の中に放送希望のモノメディア種別が存在する場合には、この必要モノメディア種別情報を放送希望番組情報に付加する。
【０１０８】
予約スクリプト処理部７１は、解析部６１からモノメディア限定情報が付加された録画予約スクリプトを受信した際に、モノメディア選択部６９から必要モノメディア種別情報を取得して、同一のモノメディア種別が存在する場合には、このモノメディア限定情報が付加された録画予約スクリプトを予約スクリプトＩＦ部６６を介して録画管理部５５に送信して、放送局１により指定された番組の選択されたモノメディア種別のみの録画予約を指示するものである。
【０１０９】
次に、上記のように構成された放送システムの動作について説明する。
まず、放送局１の放送波送信動作について説明する。図２６はこの発明の実施の形態５に係る放送局１の放送波送信動作を示すフローチャートである。図２６において、図５に示す実施の形態１に係る放送局１の放送波送信動作と同様の動作についてはその説明を簡略化する。
放送局１の放送波送信動作では、図２６に示すように、まず、複数の映像入力部３ａ〜３ｘ及び複数の音声入力部４ａ〜４ｘは番組データを生成する（ステップＳＴ２６１）。      
【０１１０】
次いで、放送希望番組情報取得スクリプト生成部２４は、必要モノメディア問合せ情報を付加した放送希望番組情報取得スクリプトを生成して、スクリプトデータに埋め込む（ステップＳＴ２６２）。この放送希望番組情報取得スクリプト生成部２４により生成されたスクリプトデータは、データ放送サービス生成部５によりデータ放送コンテンツにまとめられる。
【０１１１】
次いで、多重化部６は番組データとデータ放送コンテンツとを多重化し、伝送路符号化部７は多重化データに対して伝送路符号化を行い、放送発信アンテナ２を介して放送波として送信する（ステップＳＴ２６３，２６４）。
【０１１２】
次に、受信機５０の放送希望番組情報収集動作について説明する。図２７この発明の実施の形態５に係る受信機５０の放送希望番組情報収集動作を示すフローチャートである。図２７において、図６に示す実施の形態１に係る受信機５０の放送希望番組情報収集動作と同様の動作についてはその説明を簡略化する。
受信機５０の放送希望番組情報収集動作では、図２７に示すように、まず、伝送路復号部５２は放送局１から受信した放送波を伝送路復号し、分離部５３は伝送路復号された多重化データを番組データ及びデータ放送コンテンツに分離する（ステップＳＴ２７１，２７２）。
【０１１３】
次いで、解析部６１は、分離部５３により分離されたデータ放送コンテンツの中から必要モノメディア問合せ情報が付加された放送希望番組情報取得スクリプトを検出する（ステップＳＴ２７３）。この解析部６１により検出された必要モノメディア問合せ情報が付加された放送希望番組情報取得スクリプトは放送希望番組情報取得スクリプト処理部７０に送信される。
【０１１４】
次いで、放送希望番組情報取得スクリプト処理部７０は、解析部６１から必要モノメディア問合せ情報が付加された放送希望番組情報取得スクリプトを受信した際に、この記述内容を確認して、放送希望番組情報生成部６０により生成された放送希望番組情報及びモノメディア選択部６９に記録された必要モノメディア種別情報を取得して、放送局１で放送可能なモノメディア種別の中に放送希望のモノメディア種別が存在する場合には、必要モノメディア種別情報を放送希望番組情報に付加する（ステップＳＴ２７４）。この放送希望番組情報取得スクリプト処理部６４により必要モノメディア種別情報が付加された放送希望番組情報は回線処理部５７を介して放送局１に送信される（ステップＳＴ２７５）。
【０１１５】
次に、放送局１の番組編成動作について説明する。図２８はこの発明の実施の形態５に係る放送局１の番組編成動作を示すフローチャートである。図２８において、図１１に示す実施の形態２に係る放送局１の番組編成動作と同様の動作についてはその説明を簡略化する。
放送局１の番組編成動作では、図２８に示すように、まず、回線処理部８は、受信機５０から必要モノメディア種別情報が付加された放送希望番組情報を受信する（ステップＳＴ２８１）。次いで、放送希望集計部１４は、回線処理部８により受信された必要モノメディア種別情報が付加された放送希望番組情報を番組及びモノメディア種別毎に集計する（ステップＳＴ２８２）。次いで、番組編成決定部１５は最適な番組編成を行う（ステップＳＴ２８３）。この番組編成決定部１５により編成された新たな番組編成情報は予約スクリプト生成部２６に送信される。
【０１１６】
次いで、放送希望集計部１４は、番組編成決定部１５により指定された番組の必要モノメディア種別情報の集計結果をモノメディア選択部２５に送信する。次いで、モノメディア選択部２５は、放送希望集計部１４による指定された番組の必要モノメディア種別情報の集計結果に基づいて、番組のモノメディア種別を選択する（ステップＳＴ２８４）。このモノメディア選択部２５により選択された番組のモノメディア種別を示す情報は予約スクリプト生成部２６に送信される。
【０１１７】
予約スクリプト生成部２６は、番組編成決定部１５により編成された新たな番組編成情報及びモノメディア選択部２５により選択された番組のモノメディア種別に基づいて、モノメディア限定情報を付加した録画予約スクリプトを生成して、スクリプトデータに埋め込む（ステップＳＴ２８５）。この予約スクリプト生成部２６により生成されたスクリプトデータはデータ放送サービス生成部５によりデータ放送コンテンツにまとめられる。
【０１１８】
次いで、多重化部６は番組データとデータ放送コンテンツとを多重化し、伝送路符号化部７は多重化データに対して伝送路符号化を行い、放送発信アンテナ２を介して放送波として送信する（ステップＳＴ２８６，２８７）。
【０１１９】
次に、受信機５０の録画動作について説明する。図２９はこの発明の実施の形態５に係る受信機５０の録画動作を説明するフローチャートである。図２９において、図１２に示す実施の形態２に係る受信機５０の録画動作と同様の動作についてはその説明を簡略化する。
受信機５０の録画動作では、図２９に示すように、まず、伝送路復号部５２は放送局１から受信した放送波を伝送路復号し、分離部５３は伝送路復号された多重化データを番組データ及びデータ放送コンテンツに分離する（ステップＳＴ２９１，２９２）。
【０１２０】
次いで、解析部６１は、分離部５３により分離されたデータ放送コンテンツの中からモノメディア限定情報が付加された録画予約スクリプトを検出する（ステップＳＴ２９３）。この解析部６１により検出されたモノメディア限定情報が付加された録画予約スクリプトは予約スクリプト処理部７１に送信される。
【０１２１】
次いで、予約スクリプト処理部７１は、解析部６１からモノメディア限定情報が付加された録画予約スクリプトを受信した際に、この記述内容を確認して、モノメディア選択部６９から必要モノメディア種別情報を取得して、同一のモノメディア種別が存在する場合には、このモノメディア限定情報が付加された録画予約スクリプトを録画管理部５５に送信し、放送局１により指定された番組の選択されたモノメディア種別のみの録画予約を指示する（ステップＳＴ２９４）。
次いで、録画管理部５５は録画予約を行う（ステップＳＴ２９５）。また、録画管理部５５は、予約スクリプト処理部７１に録画予約が完了した旨を通知する。
【０１２２】
以上のように、この実施の形態５によれば、放送局１において、放送可能な番組のモノメディア種別のうち、受信機５０からの必要モノメディア種別情報に基づいて、選択したモノメディア種別のみの録画予約を指示するように構成したので、受信機５０で必要とするモノメディア種別に限って放送することが可能となり、放送帯域を減らすことが可能となる。
【０１２３】
なお、この実施の形態５に係る放送システムでは、必要モノメディア問合せ情報を付加した放送希望番組取得スクリプトとモノメディア限定情報を付加した録画予約スクリプトとを一連のシーケンスで実施する例を示したが、それぞれ別々に実施されるものであってもよい。また、モノメディア限定情報が付加された録画予約スクリプトにより録画予約を行う場合について説明したが、一旦放送予定のモノメディア種別一覧を引数に録画予約するモノメディア種別を戻り値として返すスクリプトを実行し、その後、モノメディア限定情報が付加された録画予約スクリプトで録画予約するものであってもよい。
【０１２４】
実施の形態６．
実施の形態５では、受信機５０側の希望に基づいてモノメディア種別を限定するものについて示したが、実施の形態６は、受信機５０側の希望に基づいて番組の放送時間帯を決定するものである。
この実施の形態６に係る放送システムは、図１に示す実施の形態１に係る放送システムと同様の構成であり、その説明を省略する。
【０１２５】
図３０はこの発明の実施の形態６に係る放送局１の構成を示す図である。この図３０に示す実施の形態６に係る放送局１は、図８に示す実施の形態２に係る放送局１の放送希望番組情報取得スクリプト生成部１３を放送希望番組情取得スクリプト生成部２７に変更し、番組編成管理部９に放送時間帯決定部２８を追加したものである。その他の構成は同様であり、同一の符号を付してその説明を省略する。
【０１２６】
放送希望番組情報取得スクリプト生成部２７は、例えば図３１に示すような、受信機５０に放送希望の時間帯を問合せる時間帯希望問合せ情報を付加した放送希望番組情報取得スクリプトを生成してスクリプトデータに埋め込むものである。
【０１２７】
放送時間帯決定部２８は、回線処理部８により受信された受信機５０で放送希望の時間帯を示す時間帯希望情報に基づいて、放送すべき時間帯を求め、かつ当該時間帯の放送帯域に余裕があるかを確認するものである。ここで、放送時間帯決定部２８は、当該時間帯の放送帯域に余裕があると判断した場合には、当該時間帯を示す放送時間帯情報を番組編成決定部１５に送信する。
【０１２８】
なお、番組編成決定部１５は、放送希望集計部１４による放送希望番組情報の集計結果及び放送時間帯決定部２８により決定された放送時間帯情報に基づいて番組編成を行う。この番組編成決定部１５により編成された番組編成情報は予約スクリプト生成部１６に送信される。
【０１２９】
図３２はこの発明の実施の形態６に係る受信機５０の構成を示す図である。この図３２に示す実施の形態６に係る受信機５０は、図１０に示す実施の形態２に係る受信機５０の放送希望番組情報生成部６０に録画可能時間帯出力部７２を追加し、放送希望番組情報取得スクリプト処理部６４を放送希望番組情報取得スクリプト処理部７３に変更したものである。その他の構成は同様であり、同一の符号を付してその説明を省略する。
【０１３０】
なお、解析部６１は、データ放送コンテンツの中から時間帯希望問合せ情報が付加された放送希望番組情報取得スクリプトを検出した場合には、これを放送希望番組情報取得スクリプト処理部７３に送信する。
【０１３１】
録画可能時間帯出力部７２は、録画管理部５５の現在の録画予約情報を確認し、予約の入っていない時間帯の一覧情報を時間帯希望情報として生成し、放送希望番組情報取得スクリプト処理部７３に出力するものである。
【０１３２】
放送希望番組情報取得スクリプト処理部７３は、解析部６１から時間帯希望問合せ情報が付加された放送希望番組情報取得スクリプトを受信した際に、録画可能時間帯出力部７２から時間帯希望情報を取得して、放送希望番組情報に付加するものである。
【０１３３】
次に、上記のように構成された放送システムの動作について説明する。
まず、放送局１の放送波送信動作について説明する。図３３はこの発明の実施の形態６に係る放送局１の放送波送信動作を示すフローチャートである。図３３において、図５に示す実施の形態１に係る放送局１の放送波送信動作と同様の動作についてはその説明を簡略化する。
放送局１の放送波送信動作では、図３３に示すように、まず、映像入力部３及び音声入力部４は番組データを生成する（ステップＳＴ３３１）。
【０１３４】
次いで、放送希望番組情報取得スクリプト生成部２７は、時間帯希望問合せ情報を付加した放送希望番組情報取得スクリプトを生成して、スクリプトデータに埋め込む（ステップＳＴ３３２）。この放送希望番組情報取得スクリプト生成部２７により生成されたスクリプトデータは、データ放送サービス生成部５によりデータ放送コンテンツにまとめられる。
【０１３５】
次いで、多重化部６は番組データとデータ放送コンテンツとを多重化し、伝送路符号化部７は多重化データに対して伝送路符号化を行い、放送発信アンテナ２を介して放送波として送信する（ステップＳＴ３３３，３３４）。
【０１３６】
次に、受信機５０の放送希望番組情報収集動作について説明する。図３４はこの発明の実施の形態６に係る受信機５０の放送希望番組情報収集動作を示すフローチャートである。図３４において、図６に示す実施の形態１に係る受信機５０の放送希望番組情報収集動作と同様の動作についてはその説明を簡略化する。
受信機５０の放送希望番組情報収集動作では、図３４に示すように、まず、伝送路復号部５２は放送局１から受信した放送波を伝送路復号し、分離部５３は伝送路復号された多重化データを番組データ及びデータ放送コンテンツに分離する（ステップＳＴ３４１，３４２）。
【０１３７】
次いで、解析部６１は、分離部５３により分離されたデータ放送コンテンツの中から時間帯希望問合せ情報が付加された放送希望番組情報取得スクリプトを検出する（ステップＳＴ３４３）。この解析部６１により検出された時間帯希望問合せ情報が付加された放送希望番組情報取得スクリプトは放送希望番組情報取得スクリプト処理部７３に送信される。
【０１３８】
次いで、放送希望番組情報取得スクリプト処理部７３は、解析部６１から時間帯希望問合せ情報が付加された放送希望番組情報取得スクリプトを受信した際に、この記述内容を確認して、放送希望番組情報生成部６０により生成された放送希望番組情報及び録画可能時間帯出力部７２から出力された時間帯希望情報を取得して、時間帯希望情報を放送希望番組情報に付加する（ステップＳＴ３４４）。この放送希望番組情報取得スクリプト処理部６４により時間帯希望情報が付加された放送希望番組情報は回線処理部５７を介して放送局１に送信される（ステップＳＴ３４５）。
【０１３９】
次に、放送局１の番組編成動作について説明する。図３５はこの発明の実施の形態６に係る放送局１の番組編成動作を示すフローチャートである。図３５において、図１１に示す実施の形態２に係る放送局１の番組編成動作と同様の動作についてはその説明を簡略化する。
放送局１の番組編成動作では、図３５に示すように、まず、回線処理部８は、受信機５０から時間帯希望情報が付加された放送希望番組情報を受信する（ステップＳＴ３５１）。次いで、放送希望集計部１４は、回線処理部８により受信された時間帯希望情報が付加された放送希望番組情報を番組毎に集計する（ステップＳＴ３５２）。
【０１４０】
次いで、番組編成決定部１５は、放送希望集計部１４により集計されたデータ及び放送時間帯決定部２８により決定された放送時間帯情報に基づいて最適な番組編成を行う（ステップＳＴ３５３）。この番組編成決定部１５により編成された新たな番組編成情報は予約スクリプト生成部１６に送信される。
【０１４１】
次いで、予約スクリプト生成部１６は、番組編成決定部１５により編成された新たな番組編成情報に基づいて、録画予約スクリプトを生成して、スクリプトデータに埋め込む（ステップＳＴ３５４）。この予約スクリプト生成部１６により生成されたスクリプトデータはデータ放送サービス生成部５によりデータ放送コンテンツにまとめられる。
【０１４２】
次いで、多重化部６は番組データとデータ放送コンテンツとを多重化し、伝送路符号化部７は多重化データに対して伝送路符号化を行い、放送発信アンテナ２を介して放送波として送信する（ステップＳＴ３５５，３５６）。
【０１４３】
以上のように、この実施の形態６によれば、放送局１において、受信機５０側からの時間帯希望情報に基づいて番組編成を行い放送することが可能となり、受信機５０において、より有効な録画予約スケジューリングを行うことが可能となる。
【０１４４】
実施の形態７．
実施の形態３では、放送局１で指定された番組の伝送レートを決め録画予約を指示するものについて示したが、実施の形態７では伝送レートを可変にするものである。
この実施の形態７に係る放送システムは、図１に示す実施の形態１に係る放送システムと同様の構成であり、その説明を省略する。
【０１４５】
図３６はこの発明の実施の形態７に係る放送局１の構成を示す図である。この図３６に示す実施の形態７に係る放送局１は、図１３に示す実施の形態３に係る放送局１の番組編成決定部１５に最大伝送レート決定部２９を追加し、予約スクリプト生成部１８を予約スクリプト生成部３０に変更したものである。その他の構成は同様であり、同一の符号を付してその説明を省略する。
【０１４６】
最大伝送レート決定部２９は、データ伝送レート決定部１７により決定された伝送レートの最大値を検出するものである。この最大伝送レート決定部２９により検出された伝送レートの最大値は予約スクリプト生成部３０に送信される。
【０１４７】
予約スクリプト生成部３０は、番組編成決定部１５により編成された新たな番組編成情報及び最大伝送レート決定部２９により検出された伝送レートの最大値に基づいて、例えば図３７に示すような、検出された伝送レートの最大値を示す最大伝送レート情報を付加した録画予約スクリプトを生成して、スクリプトデータに埋め込むものである。
【０１４８】
図３８はこの発明の実施の形態７に係る受信機５０の構成を示す図である。この図３８に示す実施の形態７に係る受信機５０は、図１０に示す実施の形態２に係る受信機５０の予約スクリプト処理部６５を予約スクリプト処理部７４に変更したものである。その他の構成は同様であり、同一の符号を付してその説明を省略する。
なお、解析部６１は、データ放送コンテンツの中から最大伝送レート情報が付加された録画予約スクリプトを検出した場合には、これを予約スクリプト処理部７４に送信する。
【０１４９】
予約スクリプト処理部７４は、解析部６１から最大伝送レート情報が付加された録画予約スクリプトを受信した際に、この記述内容を確認して録画管理部５５に送信し、最大伝送レート情報に示された最大値を上限とした伝送レートで番組を録画することを追加した録画予約を指示するものである。
【０１５０】
次に、上記のように構成された放送システムの動作について説明する。
ここで、放送局１の放送波送信動作及び受信機５０の放送希望番組情報収集動作は図５，６に示す実施の形態１に係る放送局１の放送波送信動作及び受信機５０の放送希望番組情報収集動作と同様の動作であり、その説明を省略する。
【０１５１】
次に、放送局１の番組編成動作について説明する。図３９はこの発明の実施の形態７に係る放送局１の番組編成動作を示すフローチャートである。図３９において、図１５に示す実施の形態３に係る放送局１の番組編成動作と同様の動作についてはその説明を簡略化する。
放送局１の番組編成動作では、図３９に示すように、まず、回線処理部８は受信機５０から放送希望番組情報を受信し、放送希望集計部１４は放送希望番組情報を番組毎に集計し、番組編成決定部１５は最適な番組編成を行い、データ伝送レート決定部１７は番組編成決定部１５により指定された番組の伝送レートを決定する（ステップＳＴ３９１〜３９４）。このデータ伝送レート決定部１７により決定された伝送レートを示す情報は、最大伝送レート決定部２９に送信される。
【０１５２】
次いで、最大伝送レート決定部２９は、データ伝送レート決定部１７により決定された伝送レートの最大値を検出する（ステップＳＴ３９５）。ここで、例えば、データ伝送レート決定部１７によって、１０：００〜１０：１０は５Ｍｂｐｓ、１０：１０〜１０：２０は３Ｍｂｐｓ、１０：２０〜１０：３０は４Ｍｂｐｓの伝送レートが決定された場合、最大伝送レート決定部２９はこの中の最大値である５Ｍｂｐｓを検出する。この最大伝送レート決定部２９により検出された伝送レートの最大値を示す最大伝送レート情報は予約スクリプト生成部３０に送信される。
【０１５３】
次いで、予約スクリプト生成部３０は、番組編成決定部１５により編成された新たな番組編成情報及び最大伝送レート決定部２９により検出された伝送レートの最大値に基づいて、最大伝送レート情報を付加した録画予約スクリプトを生成してスクリプトデータに埋め込む（ステップＳＴ３９６）。この予約スクリプト生成部３０により生成されたスクリプトデータは、データ放送サービス生成部５によりデータ放送コンテンツにまとめられる。
【０１５４】
次いで、多重化部６は番組データとデータ放送コンテンツとを多重化し、伝送路符号化部７は多重化データに対して伝送路符号化を行い、放送発信アンテナ２を介して放送波として送信する（ステップＳＴ３９７，３９８）。
【０１５５】
次に、受信機５０の録画動作について説明する。図４０はこの発明の実施の形態７に係る受信機５０の録画動作を説明するフローチャートである。図４０において、図１２に示す実施の形態２に係る受信機５０の録画動作と同様の動作についてはその説明を簡略化する。
受信機５０の録画動作では、図４０に示すように、まず、伝送路復号部５２は放送局１から受信した放送波を伝送路復号し、分離部５３は伝送路復号された多重化データを番組データ及びデータ放送コンテンツに分離する（ステップＳＴ４０１，４０２）。
【０１５６】
次いで、解析部６１は、分離部５３により分離されたデータ放送コンテンツの中から最大伝送レート情報が付加された録画予約スクリプトを検出する（ステップＳＴ４０３）。この解析部６１により検出された最大伝送レート情報が付加された録画予約スクリプトは予約スクリプト処理部７４に送信される。
【０１５７】
次いで、予約スクリプト処理部７４は、解析部６１から最大伝送レート情報が付加された録画予約スクリプトを受信した際に、この記述内容を確認して録画管理部５５に送信し、この最大値を上限とした伝送レートで番組を録画すること追加した録画予約を指示する（ステップＳＴ４０４）。
次いで、録画管理部５５は録画予約を行う（ステップＳＴ４０５）。また、録画管理部５５は、予約スクリプト処理部７４に録画予約が完了した旨を通知する。
【０１５８】
以上のように、実施の形態７によれば、放送局１の最大伝送レート決定部２９により伝送レートの最大値を検出して受信機５０側に指定することで、可変のデータ伝送レートで放送・録画を行うことができる。
【０１５９】
なお、この実施の形態７に係る放送システムでは、最大伝送レート情報が付加された録画予約スクリプトを生成するようにしたが、これに変えて、伝送レートと変化タイミングとを記述した録画予約スクリプトを生成するようにしたものであってもよい。
【０１６０】
実施の形態８．
実施の形態１−７では、録画予約スクリプトに多様な情報を付加して、録画方法を変えるものについて示したが、実施の形態８では、予め録画予約された番組の録画を開始する際、ユーザが別の番組を視聴している場合のように、受信機５０の放送受信機能の利用が重複した際に視聴中の番組を優先するものである。
この実施の形態８に係る放送システムは、図１に示す実施の形態１に係る放送システムの構成と同様であり、その説明を省略する。また、放送局１は、図８に示す実施の形態２に係る放送局１の構成と同様であり、その説明を省略する。
【０１６１】
図４１はこの発明の実施の形態８に係る受信機５０の構成を示す図である。この図４１に示す実施の形態８に係る受信機５０は、図１０に示す実施の形態２に係る受信機５０の録画管理部５５に優先選択部７５を追加したものである。その他の構成は同様であり、同一の符号を付してその説明を省略する。
【０１６２】
優先選択部７５は、録画予約された番組と視聴中の番組との放送時間が重複する場合に視聴中の番組を優先して視聴させるものである。ここで、優先選択部７５は、受信機５０の放送波受信機能の利用が重複すると判断して現在視聴中の番組を優先した場合には、録画予約された番組を示す情報を放送希望番組情報生成部６０に送信する。
なお、放送希望番組情報生成部６０は、優先選択部７５から番組情報を受信した際には、この番組情報に基づいて放送希望番組情報を生成する。
【０１６３】
次に、上記のように構成された放送システムの動作について説明する。
ここで、実施の形態８に係る放送システムの動作は、図５，６，１１，１２に示す実施の形態１，２に係る放送システムの動作と同様の動作であり、その説明を省略する。
【０１６４】
次に、受信機５０の放送希望番組情報生成動作について説明する。図４２はこの発明の実施の形態８に係る受信機５０の番組放送時間が重複した際の放送希望番組情報生成動作を示すフローチャートである。
受信機５０の放送希望番組情報生成動作では、図４２に示すように、まず、優先選択部７５は、過去に録画予約した番組の放送開始直前にユーザが番組を視聴している場合に、録画予約した番組と視聴中の番組との放送時間が重複するかを判断する（ステップＳＴ４２１）。
【０１６５】
このステップＳＴ４２１において、優先選択部７５は、録画予約した番組と視聴中の番組との放送時間が重複すると判断した場合には、現在視聴中の番組を優先して視聴させる（ステップＳＴ４２２）。またこの際、優先選択部７５は、録画予約した番組を示す情報を放送希望番組情報生成部６０に送信する
次いで、放送希望番組情報生成部６０は、優先選択部７５から番組情報を受信した際に、この番組情報に基づいて放送希望番組情報を生成する（ステップＳＴ４２３）。
【０１６６】
以上のように、実施の形態８によれば、録画予約した番組と視聴中の番組の放送時間が重複する場合に視聴中の番組を優先して視聴させるように構成したので、視聴中の番組を自動的に継続再生できると共に、録画予約済みだった番組の再放送希望及び再放送録画予約を実施することができる。
【０１６７】
なお、実施の形態８に係る放送システムでは、視聴中の番組を優先するものについて説明したが、録画予約した番組を優先して録画し、視聴中の番組再生を中断してこの番組を再放送希望番組とするものであってもよい。
また、視聴中の番組の再生継続とするか、録画予約した番組を録画させるかをユーザに問合せて選択させるものであってもよい。
【０１６８】
また、実施の形態８に係る放送システムでは、視聴と録画が重複する放送受信機能利用の場合について説明したが、番組が重複する場合であればどのような場合でもよく、例えば、視聴予約した番組と視聴中の番組との放送時間が重複した場合や、ユーザが同じ時間帯の複数番組を録画予約あるいは視聴予約した場合に、１つの番組以外について再放送希望するように構成すれば、本技術を流用可能である。
【０１６９】
実施の形態９．
実施の形態８では、録画予約した番組と視聴中の番組との放送時間が重複した際に視聴中の番組を優先して視聴させるものについて示したが、実施の形態９は、臨時延長等で放送時間が変更された場合に、録画し損なった部分に対して放送希望を行うものである。
この実施の形態９係る放送システムは、図１に示す実施の形態１に係る放送システムと同様の構成であり、その説明を省略する。
【０１７０】
図４３はこの発明の実施の形態９に係る放送局１の構成を示す図である。この図４３に示す実施の形態９に係る放送局１は、図８に示す実施の形態２に係る放送局１の番組編成決定部１５を番組編成決定部３１に変更し、予約スクリプト生成部１６を予約スクリプト生成部３２に変更したものである。その他の構成は同様であり、同一の符号を付してその説明を省略する。
なお、放送希望番組情報取得スクリプト生成部１３は、図４４に示すような、番組全体の放送を希望するのか、または番組の臨時延長分のみの放送を希望するのかを記述させるための放送希望フラグを放送希望番組情報取得スクリプトに追加して生成する。
【０１７１】
番組編成決定部３１は、受信機５０から回線処理部８を介して受信した番組の放送時間が延長したことを示す番組延長情報、及び放送希望集計部１４による放送希望番組情報の集計結果に基づいて、番組編成を行うものである。また、番組編成決定部３１は、番組延長情報を受信した際には番組の臨時延長時間を示す臨時延長情報を生成する。この番組編成決定部３１により編成された番組編成情報及び臨時延長情報は予約スクリプト生成部３２に送信される。
【０１７２】
予約スクリプト生成部３２は、番組編成決定部３１により編成された新たな番組編成情報及び臨時延長情報に基づいて、例えば図４５に示されるような、臨時延長情報を付加した録画予約スクリプトを生成して、スクリプトデータに埋め込むものである。
【０１７３】
図４６はこの発明の実施の形態９に係る受信機５０の構成を示す図である。この図４６に示す実施の形態９に係る受信機５０は、図１０に示す実施の形態２に係る受信機５０の放送希望番組情報生成部６０を放送希望番組情報生成部７６に変更し、放送希望番組情報取得スクリプト処理部６４を放送希望番組情報取得スクリプト処理部７７に変更し、予約スクリプト処理部６５を予約スクリプト処理部７８に変更したものである。その他の構成は同様であり、同一の符号を付してその説明を省略する。
なお、解析部６１は、データ放送コンテンツの中から臨時延長情報が付加された録画予約スクリプトを検出した場合には、これを予約スクリプト処理部７８に送信する。
【０１７４】
放送希望番組情報生成部７６は、録画管理部５５が番組の録画を行う際に、この番組に臨時延長があり、かつ延長された時間帯に別の録画予約がある等によって臨時延長分の録画を行えなかった場合に、番組の放送時間が臨時延長したことを示す番組延長情報を放送希望番組情報に付加するものである。
【０１７５】
放送希望番組情報取得スクリプト処理部７７は、解析部６１から放送希望番組情報取得スクリプトを受信した際に、この記述内容を確認して、放送希望番組情報生成部７６から放送希望番組情報を取得して、番組延長情報が付加されている場合には番組の臨時延長分の放送を希望する旨を記述するものである。
【０１７６】
予約スクリプト処理部７８は、解析部６１から臨時延長情報が付加された録画予約スクリプトを受信した際に、この記述内容を確認して録画管理部５５に送信し、放送局１により指定された番組の臨時延長分のみの録画予約を指示するものである。
【０１７７】
次に、上記のように構成された放送システムの動作について説明する。
ここで、放送局１の放送波送信動作及び受信機５０の放送希望番組情報収集動作は図５，６に示す実施の形態１に係る放送システムの動作と同様の動作であり、その説明を省略する。
【０１７８】
次に、放送局１の番組編成動作について説明する。図４７はこの発明の実施の形態９に係る放送局１の番組編成動作を示すフローチャートである。図４７において、図１１に示す実施の形態２に係る放送局１の番組編成動作と同様の動作についてはその説明を簡略化する。
放送局１の番組編成動作では、図４７に示すように、まず、回線処理部８は受信機５０から番組延長情報が付加された放送希望番組情報を受信し、放送希望集計部１４は番組延長情報が付加された放送希望番組情報を番組毎に集計する（ステップＳＴ４７１，４７２）。
【０１７９】
次いで、番組編成決定部３１は、放送希望集計部１４による集計結果及び番組延長情報に基づいて、最適な番組編成を行い、臨時延長情報を生成する（ステップＳＴ４７３）。この番組編成決定部３１により生成された番組編成情報及び臨時延長情報は予約スクリプト生成部３２に送信される。
【０１８０】
次いで、予約スクリプト生成部３２は、番組編成決定部３１により生成された新たな番組編成情報及び臨時延長情報に基づいて、臨時延長情報を付加した録画予約スクリプトを生成して、スクリプトデータに埋め込む（ステップＳＴ４７４）。この予約スクリプト処理部３２により生成されたスクリプトデータは、データ放送サービス生成部５によりデータ放送コンテンツにまとめられる。
【０１８１】
次いで、多重化部６は番組データとデータ放送コンテンツとを多重化し、伝送路符号化部７は多重化データに対して伝送路符号化を行い、放送発信アンテナ２を介して放送波として送信する（ステップＳＴ４７５，４７６）。
【０１８２】
次に、受信機５０の録画動作について説明する。図４８はこの発明の実施の形態９に係る受信機５０の録画動作を説明するフローチャートである。図４８において、図１２に示す実施の形態２に係る受信機５０の録画動作と同様の動作についてはその説明を簡略化する。
受信機５０の録画動作では、図４８に示すように、まず、伝送路復号部５２は放送局１から受信した放送波を伝送路復号し、分離部５３は伝送路復号された多重化データを番組データ及びデータ放送コンテンツに分離する（ステップＳＴ４８１，４８２）。
【０１８３】
次いで、解析部６１は、分離部５３により分離されたデータ放送コンテンツの中から臨時延長情報が付加された録画予約スクリプトを検出する（ステップＳＴ４８３）。この解析部６１により検出された臨時延長情報が付加された録画予約スクリプトは予約スクリプト処理部７８に送信される。
【０１８４】
次いで、予約スクリプト処理部７８は、解析部６１から臨時延長情報が付加された録画予約スクリプトを受信した際に、この記述内容を確認して録画管理部５５に送信し、放送局１により指定された番組の臨時延長分のみの録画予約を指示する（ステップＳＴ４８４）。
次いで、録画管理部５５は録画予約を行う（ステップＳＴ４８５）。また、録画管理部５５は、予約スクリプト処理部７８に録画予約が完了した旨を通知する。
【０１８５】
以上のように、この実施の形態９によれば、受信機５０において番組の臨時延長分が録画できなかった場合に、番組延長情報を放送局１に送り、放送局１で臨時延長分の番組を再放送するように構成したことにより、受信機５０に番組の臨時延長された部分だけを追加録画させることができる。また受信機５０において、ユーザからの再生要求時に当初録画したものに続いて臨時延長分として録画したものを再生させることにより、ユーザには臨時延長で録画が途切れることなく、再生することができるようになる。
【０１８６】
なお、実施の形態９に係る放送システムでは、放送希望番組情報取得スクリプトに番組延長情報を付加し、録画予約スクリプトに臨時延長情報を付加して受信機５０に録画予約するまでのケースについて説明したが、放送希望番組情報取得スクリプトに番組延長情報を付加し放送局１で臨時延長分の再放送のための番組編成を行うまでの形態であってもよい。
【０１８７】
実施の形態１０．
実施の形態９では、臨時延長分の録画予約をする形態であり、１つのチャンネル内で判別するケースについて示したが、実施の形態１０は他チャンネルで臨時延長があり、受信機５０にて番組の録画ができなかった場合に、番組の未録画部分のみの録画予約を行わせるようにしたものである。
この実施の形態１０に係る放送システムの構成は、図１に示す実施の形態１に係る放送システムと同様の構成であり、その説明を省略する。
【０１８８】
図４９はこの発明の実施の形態１０に係る放送局１の構成を示す図である。この図４９に示す実施の形態１０に係る放送局１は、図８に示す実施の形態２に係る放送局１の番組編成決定部１５を番組編成決定部３３に変更し、予約スクリプト生成部１６を予約スクリプト生成部３４に変更したものである。その他の構成は同様であり、同一の符号を付してその説明を省略する。
なお、放送希望番組情報取得スクリプト生成部１３は、図５０に示すような、番組の録画済みの先頭時刻及び末尾時刻を問合せるための記述を放送希望番組情報取得スクリプトに追加して生成する。
【０１８９】
番組編成決定部３３は、受信機５０から回線処理部８を介して受信した番組の録画済みの先頭時刻、末尾時刻を示す録画済先頭・末尾時刻情報、及び放送希望集計部１４による放送希望番組情報の集計結果に基づいて、番組編成を行うものである。また、番組編成決定部３３は、録画済先頭・末尾時刻情報を受信した際には、この録画済先頭・末尾時刻情報及び過去の番組編成情報に基づいて、指定した番組の先頭データの当初の放送時刻を示す当初放送時刻情報を生成する。この番組編成決定部３３により生成された番組編成情報及当初放送時刻情報を予約スクリプト生成部３４に送信される。
【０１９０】
予約スクリプト生成部３４は、番組編成決定部３３により生成された新たな番組編成情報及び当初放送時刻情報に基づいて、例えば図５１に示されるような、当初放送時刻情報を付加した録画予約スクリプトを生成して、スクリプトデータに埋め込むものである。
【０１９１】
図５２はこの発明の実施の形態１０に係る受信機５０の構成を示す図である。この図５２に示す実施の形態１０に係る受信機５０は、図１０に示す実施の形態２に係る受信機５０の放送希望番組情報生成部６０を放送希望番組情報生成部７９に変更し、放送希望番組情報取得スクリプト処理部６４を放送希望番組情報取得スクリプト処理部８０に変更し、予約スクリプト処理部６５を予約スクリプト処理部８１に変更したものである。その他の構成は同様であり、同一の符号を付してその説明を省略する。
なお、解析部６１は、データ放送コンテンツの中から当初放送時刻情報が付加された録画予約スクリプトを検出した場合には、これを予約スクリプト処理部８１に送信する。
【０１９２】
放送希望番組情報生成部７９は、他チャンネルで臨時延長があったために、録画予約した番組の一部分を録画できなかった場合等に、その番組のうち録画済みの先頭時刻、末尾時刻を示す録画済先頭・末尾時刻情報をストリームのシステム情報から再生されるＳＴＣ（System Time Clock）から取り出し、録画済先頭・末尾時刻情報を付加した放送希望番組情報を生成するものである。
【０１９３】
放送希望番組情報取得スクリプト処理部８０は、解析部６１から放送希望番組情報取得スクリプトを受信した際に、この記述内容を確認して、放送希望番組情報生成部７９により生成された録画済先頭・末尾時刻情報が付加された放送希望番組情報を取得するものである。
【０１９４】
予約スクリプト処理部８１は、解析部６１から当初放送時刻情報が付加された録画予約スクリプトを受信した際に、この記述内容を確認して録画管理部５５に送信し、放送局１により指定された番組の未録画部分の録画予約を指示するものである。
【０１９５】
なお、録画管理部５５は、予約スクリプト処理部８１から送信された当初放送時時刻情報に基づいて、録画済先頭・末尾時刻情報と比較して、再放送される番組の先頭データの当初放送時刻が録画済先頭データの時刻より前であった場合には、今回の録画予約は録画済みデータの前にくるものと判断する。一方、再放送される番組の先頭データの当初放送時刻が録画済末尾データの時刻より後であった場合には、今回の録画予約は録画済みデータの後ろにくるものと判断して、番組の未録画部分の録画を行う。
【０１９６】
次に、上記のように構成された放送システムの動作について説明する。
ここで、放送局１の放送波送信動作及び受信機５０の放送希望番組情報収集動作は図５，６に示す実施の形態１に係る放送システムの動作と同様の動作であり、その説明を省略する。
【０１９７】
次に、放送局１の番組編成動作について説明する。図５３はこの発明の実施の形態１０に係る放送局１の番組編成動作を示すフローチャートである。図５３において、図１１に示す実施の形態２に係る放送局１の番組編成動作と同様の動作についてはその説明を簡略化する。
放送局１の番組編成動作では、図５３に示すように、まず、回線処理部８は受信機５０から録画済先頭・末尾時刻情報が付加された放送希望番組情報を受信し、放送希望集計部１４は録画済先頭・末尾時刻情報が付加された放送希望番組情報を番組毎に集計する（ステップＳＴ５３１，５３２）。
【０１９８】
次いで、番組編成決定部３３は、放送希望集計部１４による集計結果及び録画済先頭・末尾時刻情報に基づいて、最適な番組編成を行い、当初放送時刻情報を生成する（ステップＳＴ５３３）。この番組編成決定部３３により生成された番組編成情報及び当初放送時刻情報は予約スクリプト生成部３４に送信される。
【０１９９】
次いで、予約スクリプト生成部３４は、番組編成決定部３３により生成された新たな番組編成情報及び当初放送時刻情報に基づいて、当初放送時刻情報を付加した録画予約スクリプトを生成して、スクリプトデータに埋め込む（ステップＳＴ５３４）。この予約スクリプト生成部３４により生成されたスクリプトデータは、データ放送サービス生成部５によりデータ放送コンテンツにまとめられる。
【０２００】
次いで、多重化部６は番組データとデータ放送コンテンツとを多重化し、伝送路符号化部７は多重化データに対して伝送路符号化を行い、放送発信アンテナ２を介して放送波として送信する（ステップＳＴ５３５，５３６）。
【０２０１】
次に、受信機５０の録画動作について説明する。図５４はこの発明の実施の形態１０に係る受信機５０の録画動作を説明するフローチャートである。図５４において、図１２に示す実施の形態２に係る受信機５０の録画動作と同様の動作についてはその説明を簡略化する。
受信機５０の録画動作では、図５４に示すように、まず、伝送路復号部５２は放送局１から受信した放送波を伝送路復号し、分離部５３は伝送路復号された多重化データを番組データ及びデータ放送コンテンツに分離する（ステップＳＴ５４１，５４２）。
【０２０２】
次いで、解析部６１は、分離部５３により分離されたデータ放送コンテンツの中から当初放送時刻情報が付加された録画予約スクリプトを検出する（ステップＳＴ５４３）。この解析部６１により検出された当初放送時刻情報が付加された録画予約スクリプトは予約スクリプト処理部８１に送信される。
【０２０３】
次いで、予約スクリプト処理部８１は、解析部６１から当初放送時刻情報が付加された録画予約スクリプトを受信した際に、この記述内容を確認して録画管理部５５に送信し、放送局１により指定された番組の未録画部分の録画を指示する（ステップＳＴ５４４）。
次いで、録画管理部５５は録画予約を行う（ステップＳＴ５４５）。また、録画管理部５５は、予約スクリプト処理部８１に録画予約が完了した旨を通知する。
【０２０４】
以上のとおり、この実施の形態１０によれば、受信機５０において番組の一部分を録画し損ねた場合に、録画済先頭・末尾時刻情報を放送局１に送り、放送局１で未録画部分の番組を再放送するように構成したことにより、受信機５０に録画済み分を除いて追加録画させることができる。
【０２０５】
なお、この実施の形態１０に係る放送システムでは、放送希望番組情報取得スクリプトに録画済先頭・末尾時刻情報を付加し、録画スクリプトに当初放送時時刻情報を付加して受信機５０に録画予約させるまでのケースについて説明したが、放送希望番組情報取得スクリプトに録画済先頭・末尾時刻情報を付加し放送局１で未録画部分の再放送のための番組編成をするまでの形態であってもよい。
【０２０６】
なお、この実施の形態１０に係る放送システムにおいて、例えば、番組の当初放送時刻が８：００〜１０：００の場合に、８：３０〜９：３０のみ録画済みである場合には、図５１に示す録画予約スクリプトを８：００〜８：３０、９：３０〜１０：００の２回記述してもよいし、全ての時間帯を記述できる録画予約スクリプトとしてもよい。
【符号の説明】
【０２０７】
１  放送局、２  放送発信アンテナ（放送部）、３，３ａ〜３ｘ  映像入力部（符号化部）、４，４ａ〜４ｘ  音声入力部（符号化部）、５  データ放送サービス生成部、６  多重化部（放送部）、７  伝送路符号化部（放送部）、８  回線処理部、９  番組編成管理部、１０  ＣＳＳ（Cascading Style Sheets）生成部、１１  ＢＭＬ（Broadcast Markup Language）生成部、１２  スクリプト生成部、１３，２４，２７  放送希望番組情報取得スクリプト生成部、１４  放送希望集計部、１５，３１，３３  番組編成決定部、１６，１８，２１，２６，３０，３２，３４  予約スクリプト生成部、１７  データ伝送レート決定部、１９  データ送出レート制御部、２０  番組情報生成部、２２  詳細番組情報生成部、２３  簡易番組情報生成部、２５  モノメディア選択部、２８  放送時間帯決定部、２９  最大伝送レート決定部、５０  受信機、５１  放送受信アンテナ、５２  伝送路復号部、５３  分離部、５４  映像・音声復号部、５５  録画管理部、５６  データ放送サービス再生部、５７  回線処理部、５８  再多重化部、５９  ディスク、６０，７６，７９  放送希望番組情報生成部、６１  解析部、６２  ＣＳＳ処理部、６３  スクリプト処理部、６４，７０，７３，７７，８０  放送希望番組情報取得スクリプト処理部、６５，６８，７１，７４，７８，８１  予約スクリプト処理部、６６  予約スクリプトＩＦ部、６７  詳細番組情報管理部、６９  モノメディア選択部、７２  録画可能時間帯出力部、７５  優先選択部、１００  ＩＰネットワーク。
【図１】
0005430427.tif 000002
【図２】
0005430427.tif 000003
【図３】
0005430427.tif 000004
【図４】
0005430427.tif 000005
【図５】
0005430427.tif 000006
【図６】
0005430427.tif 000007
【図７】
0005430427.tif 000008
【図８】
0005430427.tif 000009
【図９】
0005430427.tif 000010
【図１０】
0005430427.tif 000011
【図１１】
0005430427.tif 000012
【図１２】
0005430427.tif 000013
【図１３】
0005430427.tif 000014
【図１４】
0005430427.tif 000015
【図１５】
0005430427.tif 000016
【図１６】
0005430427.tif 000017
【図１７】
0005430427.tif 000018
【図１８】
0005430427.tif 000019
【図１９】
0005430427.tif 000020
【図２０】
0005430427.tif 000021
【図２１】
0005430427.tif 000022
【図２２】
0005430427.tif 000023
【図２３】
0005430427.tif 000024
【図２４】
0005430427.tif 000025
【図２５】
0005430427.tif 000026
【図２６】
0005430427.tif 000027
【図２７】
0005430427.tif 000028
【図２８】
0005430427.tif 000029
【図２９】
0005430427.tif 000030
【図３０】
0005430427.tif 000031
【図３１】
0005430427.tif 000032
【図３２】
0005430427.tif 000033
【図３３】
0005430427.tif 000034
【図３４】
0005430427.tif 000035
【図３５】
0005430427.tif 000036
【図３６】
0005430427.tif 000037
【図３７】
0005430427.tif 000038
【図３８】
0005430427.tif 000039
【図３９】
0005430427.tif 000040
【図４０】
0005430427.tif 000041
【図４１】
0005430427.tif 000042
【図４２】
0005430427.tif 000043
【図４３】
0005430427.tif 000044
【図４４】
0005430427.tif 000045
【図４５】
0005430427.tif 000046
【図４６】
0005430427.tif 000047
【図４７】
0005430427.tif 000048
【図４８】
0005430427.tif 000049
【図４９】
0005430427.tif 000050
【図５０】
0005430427.tif 000051
【図５１】
0005430427.tif 000052
【図５２】
0005430427.tif 000053
【図５３】
0005430427.tif 000054
【図５４】
0005430427.tif 000055